(57)【要約】  アイドルモードシグナリングリダクション（ＩＳＲ）のための方法およびシステムが提供される。前記方法は、移動元ネットワークのＩＳＲ起動情報を取得するステップと、前記取得された移動元ネットワークのＩＳＲ起動情報に従って、移動先ネットワークにおいてユーザ機器（ＵＥ）のＩＳＲ状態を設定するステップと、を含む。従って、ＵＥがネットワーク間でハンドオーバーするとき、ＵＥのＩＳＲ状態を処理することができる。
2010530193.tif 000002
【特許請求の範囲】
【請求項１】
アイドルモードシグナリングリダクション（ＩＳＲ）のための方法であって、
移動元ネットワークのＩＳＲ起動情報を取得するステップと、
前記取得された移動元ネットワークのＩＳＲ起動情報に従って、移動先ネットワークにおけるユーザ機器（ＵＥ）のＩＳＲ状態を設定するステップと、
を有する方法。
【請求項２】
ベアラ更新要求メッセージを前記移動先ネットワークのサービングゲートウェイ（ＳＧＷ）に送信するステップをさらに有し、
前記ベアラ更新要求メッセージは、加入者の現在のＩＳＲ状態を維持するように前記移動先ネットワークのＳＧＷに指示する情報を含む請求項１に記載の方法。
【請求項３】
前記移動元ネットワークのＩＳＲ起動情報を取得するステップは、
前記ＵＥによって送信されたトラッキングエリア（ＴＡ）更新要求メッセージまたはルーティングエリア（ＲＡ）更新要求メッセージから前記移動元ネットワークのＩＳＲ起動情報を取得するステップ、または、
前記移動元ネットワークの移動管理ネットワーク要素によって送信されたセキュリティベクトルを含む応答メッセージから前記移動元ネットワークのＩＳＲ起動情報を取得するステップ、または、
前記移動元ネットワークの移動管理ネットワーク要素によって送信されたフォワードハンドオーバー要求メッセージから前記移動元ネットワークのＩＳＲ起動情報を取得するステップをさらに有する請求項２に記載の方法。
【請求項４】
前記取得された移動元ネットワークのＩＳＲ起動情報に従って、移動先ネットワークにおけるＵＥのＩＳＲ状態を設定するステップは、
前記取得された移動元ネットワークのＩＳＲ起動情報に従って、前記ＵＥが前記移動元ネットワークにおいてＩＳＲを起動したか否かを判定するステップと、
前記ＵＥが前記移動元ネットワークにおいてＩＳＲを起動したならば、前記移動先ネットワークの移動管理ネットワーク要素がＩＳＲ機能を有するか否かを判定し、有するならば、前記移動先ネットワークにおいてＵＥのＩＳＲを起動するステップと、
をさらに有する請求項３に記載の方法。
【請求項５】
前記ＵＥが前記移動元ネットワークにおいてＩＳＲを起動したか否かを判定するステップは、
前記移動元ネットワークの移動管理ネットワーク要素によって送信されたフォワードハンドオーバー要求メッセージが、ＩＳＲ状態が起動されていることを示す指示情報を含むか否かを判定するステップ、または、
前記ＵＥによって送信されたＴＡ更新要求メッセージまたはＲＡ更新要求メッセージ、または、前記移動元ネットワークの移動管理ネットワーク要素によって送信されたセキュリティベクトルを含む応答メッセージが、異なるアクセス技術を使用するネットワークによって加入者に割り当てられた一時的な識別情報を含むか否かを判定するステップ、または、
前記ＵＥによって送信されたＴＡ更新要求メッセージまたはＲＡ更新要求メッセージ、または、前記移動元ネットワークの移動管理ネットワーク要素によって送信されたセキュリティベクトルを含む応答メッセージが、ＩＳＲ状態が起動されていることを示す指示情報を含むか否かを判定するステップ、
をさらに有する請求項４に記載の方法。
【請求項６】
ＩＳＲ状態が起動されていることを示す指示情報を前記移動元ネットワークの移動管理ネットワーク要素に送信するステップをさらに有する請求項４に記載の方法。
【請求項７】
前記起動されたＩＳＲ状態を維持し、かつ、ＩＳＲが起動されていないとき移動元ネットワーク側および移動先ネットワーク側のベアラ情報を保存するように、前記移動先ネットワークのＳＧＷに指示する情報を前記ベアラ更新要求メッセージ内に含めるステップをさらに有する請求項２に記載の方法。
【請求項８】
前記移動元ネットワークのＩＳＲ起動情報を取得するステップは、
前記移動元ネットワークにおいて異なるアクセス技術を使用する移動管理ネットワーク要素に要求を送信し、前記移動元ネットワークの移動管理ネットワーク要素によって返送された応答メッセージを受信するステップをさらに有し、
前記応答メッセージは、前記移動元ネットワークの移動管理ネットワーク要素のＩＳＲ機能またはＩＳＲ起動情報を含む請求項７に記載の方法。
【請求項９】
前記移動元ネットワークの移動管理ネットワーク要素のアドレスを取得するステップをさらに有する請求項８に記載の方法。
【請求項１０】
前記移動元ネットワークの移動管理ネットワーク要素のアドレスを取得するステップは、
ハンドオーバー実行処理において前記移動元ネットワークの移動管理ネットワーク要素のアドレスを取得するステップ、または、
前記移動元ネットワークの移動管理ネットワーク要素によって送信されたフォワードハンドオーバー要求メッセージから前記移動元ネットワークの移動管理ネットワーク要素のアドレスを取得するステップ、または、
セキュリティ処理が実行されるとき前記移動元ネットワークの移動管理ネットワーク要素のアドレスを取得するステップ
をさらに有する請求項９に記載の方法。
【請求項１１】
前記取得された移動元ネットワークのＩＳＲ起動情報に従って、移動先ネットワークにおけるＵＥのＩＳＲ状態を設定するステップは、
前記移動先ネットワークの移動管理ネットワーク要素がＩＳＲ機能を有するならば、前記取得された移動元ネットワークのＩＳＲ機能に従って、前記移動先ネットワークにおいてＵＥのＩＳＲを起動するか否かを判定し、起動するならば、前記移動先ネットワークにおいてＵＥのＩＳＲを起動するステップをさらに有する請求項８に記載の方法。
【請求項１２】
前記取得された移動元ネットワークのＩＳＲ起動情報に従って、移動先ネットワークにおけるＵＥのＩＳＲ状態を設定するステップは、
前記移動先ネットワークの移動管理ネットワーク要素によって、前記ＵＥが前記移動元ネットワークにおいてＩＳＲを起動したか否かを判定し、起動したならば、前記移動先ネットワークの移動管理ネットワーク要素がＩＳＲ機能を有するか否かを判定し、有するならば、前記移動先ネットワークにおいてＵＥのＩＳＲを起動するステップをさらに有する請求項１に記載の方法。
【請求項１３】
前記移動元ネットワークのＩＳＲ起動情報を取得するステップは、
ＳＧＷによって返送されたベアラ更新応答メッセージから前記移動元ネットワークのＩＳＲ起動情報を取得するステップ、または、
前記移動元ネットワークの移動管理ネットワーク要素によって送信されたフォワードハンドオーバー要求メッセージから前記移動元ネットワークのＩＳＲ起動情報を取得するステップ、
をさらに有する請求項１に記載の方法。
【請求項１４】
前記移動元ネットワークのＩＳＲ起動情報は、前記移動元ネットワークにおけるＵＥのＩＳＲ状態が起動されていることを示す指示情報であり、
前記移動先ネットワークにおけるＵＥのＩＳＲ状態を設定するステップは、
前記移動先ネットワークにおいてＵＥのＩＳＲを起動するステップをさらに有する請求項１３に記載の方法。
【請求項１５】
前記移動元ネットワークのＩＳＲ起動情報は、前記移動元ネットワークがＩＳＲ機能を有することを示す指示情報であり、
前記移動先ネットワークにおけるＵＥのＩＳＲ状態を設定するステップは、
前記移動先ネットワークにおいてＵＥのＩＳＲを起動するステップをさらに有する請求項１３に記載の方法。
【請求項１６】
前記移動先ネットワークにおけるＵＥのＩＳＲ状態を前記移動先ネットワークのＳＧＷに通知するステップをさらに有する請求項１に記載の方法。
【請求項１７】
前記移動先ネットワークにおけるＵＥのＩＳＲ状態を前記ＵＥに通知するステップをさらに有する請求項１に記載の方法。
【請求項１８】
前記移動先ネットワークの移動管理ネットワーク要素が、ＩＳＲ機能を有するか、または、前記移動先ネットワークにおいてＵＥのＩＳＲを起動するように判定したならば、前記移動先ネットワークの移動管理ネットワーク要素によって、ベアラ更新要求メッセージを前記移動先ネットワークのＳＧＷに送信するステップをさらに有し、前記ベアラ更新要求メッセージは、加入者の現在のＩＳＲ状態を維持するように前記移動先ネットワークのＳＧＷに指示する指示情報、または、現在の更新処理がハンドオーバー処理であることを示す指示情報を含み、
前記移動先ネットワークのＳＧＷによって、前記指示情報に従って、前記加入者の現在のＩＳＲ状態を変更せずに維持するステップをさらに有する請求項１に記載の方法。
【請求項１９】
前記移動先ネットワークの移動管理ネットワーク要素によって、前記移動先ネットワークにおけるＵＥのＩＳＲ起動の状態または結果を前記移動元ネットワークの移動管理ネットワーク要素に通知するステップをさらに有する請求項４、１０、１１のいずれか１項に記載の方法。
【請求項２０】
アイドルモードシグナリングリダクション（ＩＳＲ）のための方法であって、
移動先ネットワークの移動管理ネットワーク要素のＩＳＲ機能を取得するステップと、
前記移動先ネットワークの移動管理ネットワーク要素のＩＳＲ機能に従って、前記移動先ネットワークにおけるユーザ機器（ＵＥ）のＩＳＲ状態を設定するステップと、
を有する方法。
【請求項２１】
前記移動先ネットワークの移動管理ネットワーク要素のＩＳＲ機能を取得するステップは、
前記移動先ネットワークの移動管理ネットワーク要素によって送信されたユーザプレーンベアラ更新情報から前記移動先ネットワークの移動管理ネットワーク要素のＩＳＲ機能を取得するステップをさらに有する請求項２０に記載の方法。
【請求項２２】
ベアラ更新応答メッセージによって、前記設定された移動先ネットワークにおけるＵＥのＩＳＲ状態を前記移動先ネットワークの移動管理ネットワーク要素に通知するステップをさらに有する請求項２０に記載の方法。
【請求項２３】
前記移動先ネットワークの移動管理ネットワーク要素がＩＳＲをサポートするならば、前記移動先ネットワークの移動管理ネットワーク要素によって、ベアラ更新要求メッセージを前記移動先ネットワークのサービングゲートウェイ（ＳＧＷ）に送信するステップをさらに有し、前記ベアラ更新要求メッセージは、加入者の現在のＩＳＲ状態を維持するように前記移動先ネットワークのＳＧＷに指示する指示情報、または、現在の更新処理がハンドオーバー処理であることを示す指示情報を含み、
前記移動先ネットワークのＳＧＷによって、前記指示情報に従って、前記加入者の現在のＩＳＲ状態を変更せずに維持するステップをさらに有する請求項２０に記載の方法。
【請求項２４】
アイドルモードシグナリングリダクション（ＩＳＲ）のための方法であって、
移動先ネットワークの移動管理ネットワーク要素がＩＳＲ機能を有するか否かを判定し、有するならば、前記移動先ネットワークの移動管理ネットワーク要素によって、前記移動先ネットワークにおけるユーザ機器（ＵＥ）のＩＳＲを起動するステップと、
前記移動先ネットワークにおけるＵＥのＩＳＲ起動の状態または結果を移動元ネットワークの移動管理ネットワーク要素に通知するステップと、
を有する方法。
【請求項２５】
前記移動先ネットワークの移動管理ネットワーク要素がＩＳＲをサポートするならば、前記移動先ネットワークの移動管理ネットワーク要素によって、ベアラ更新要求メッセージを前記移動先ネットワークのサービングゲートウェイ（ＳＧＷ）に送信するステップをさらに有し、前記ベアラ更新要求メッセージは、加入者の現在のＩＳＲ状態を維持するように前記移動先ネットワークのＳＧＷに指示する指示情報、または、現在の更新処理がハンドオーバー処理であることを示す指示情報を含み、
前記移動先ネットワークのＳＧＷによって、前記指示情報に従って、前記加入者の現在のＩＳＲ状態を変更せずに維持するステップをさらに有する請求項２４に記載の方法。
【請求項２６】
前記移動先ネットワークにおけるＵＥのＩＳＲ状態を前記移動先ネットワークのサービングゲートウェイ（ＳＧＷ）および／または前記ＵＥに通知するステップをさらに有する請求項２４に記載の方法。
【請求項２７】
アイドルモードシグナリングリダクション（ＩＳＲ）のための方法であって、
移動先ネットワークの移動管理ネットワーク要素がＩＳＲ機能を有するならば、移動元ネットワークのＩＳＲ機能またはＩＳＲ起動状態に従って、前記移動先ネットワークにおいてユーザ機器（ＵＥ）のＩＳＲを起動するか否かを判定し、前記移動元ネットワークがＩＳＲをサポートするか、または、ＩＳＲを起動したならば、前記移動先ネットワークにおいてＵＥのＩＳＲを起動するステップを有する方法。
【請求項２８】
前記移動元ネットワークのＩＳＲ機能またはＩＳＲ起動状態を取得するステップは、
前記移動元ネットワークにおいて異なるアクセス技術を使用する移動管理ネットワーク要素に要求を送信し、前記移動元ネットワークにおいて異なるアクセス技術を使用する移動管理ネットワーク要素によって、応答を返送するステップをさらに有し、前記応答メッセージは、前記移動元ネットワークのＩＳＲ機能またはＩＳＲ起動状態についての情報を含む請求項２７に記載の方法。
【請求項２９】
前記移動先ネットワークの移動管理ネットワーク要素がＩＳＲをサポートするならば、前記移動先ネットワークの移動管理ネットワーク要素によって、ベアラ更新要求メッセージを前記移動先ネットワークのサービングゲートウェイ（ＳＧＷ）に送信するステップをさらに有し、前記ベアラ更新要求メッセージは、加入者の現在のＩＳＲ状態を維持するように前記移動先ネットワークのＳＧＷに指示する指示情報、または、現在の更新処理がハンドオーバー処理であることを示す指示情報を含み、
前記移動先ネットワークのＳＧＷによって、前記指示情報に従って、前記加入者の現在のＩＳＲ状態を変更せずに維持するステップをさらに有する請求項２７に記載の方法。
【請求項３０】
前記移動先ネットワークの移動管理ネットワーク要素によって、前記移動先ネットワークにおけるＵＥのＩＳＲ状態を前記移動元ネットワークの移動管理ネットワーク要素および／または前記移動先ネットワークのＳＧＷおよび／または前記ＵＥに通知するステップをさらに有する請求項２７に記載の方法。
【請求項３１】
アイドルモードシグナリングリダクション（ＩＳＲ）のためのシステムであって、
移動元ネットワークのＩＳＲ起動情報を取得し、前記取得された移動元ネットワークのＩＳＲ起動情報に従って、移動先ネットワークにおいてユーザ機器（ＵＥ）のＩＳＲ状態を設定するように構成された、前記移動先ネットワークの移動管理ネットワーク要素と、
前記移動先ネットワークの移動管理ネットワーク要素によって設定された前記移動先ネットワークにおけるＵＥのＩＳＲ状態を記録するように構成された、前記移動先ネットワークのサービングゲートウェイ（ＳＧＷ）と、
を備えるシステム。
【請求項３２】
前記移動元ネットワークのＩＳＲ起動情報を含むトラッキングエリア（ＴＡ）更新要求メッセージまたはルーティングエリア（ＲＡ）更新要求メッセージを前記移動先ネットワークの移動管理ネットワーク要素に送信するように構成されたＵＥをさらに備える請求項３１に記載のシステム。
【請求項３３】
前記移動先ネットワークの移動管理ネットワーク要素と交信し、それぞれのＩＳＲ状態指示情報を交換するように構成された、前記移動元ネットワークの移動管理ネットワーク要素をさらに備える請求項３２に記載のシステム。
【請求項３４】
前記移動元ネットワークのＩＳＲ起動情報を前記移動先ネットワークの移動管理ネットワーク要素に提供するように構成された、前記移動元ネットワークの移動管理ネットワーク要素をさらに備える請求項３１に記載のシステム。
【請求項３５】
アイドルモードシグナリングリダクション（ＩＳＲ）のためのシステムであって、
移動先ネットワークの移動管理ネットワーク要素のＩＳＲ情報を提供するように構成された、前記移動先ネットワークの移動管理ネットワーク要素と、
前記移動先ネットワークの移動管理ネットワーク要素によって提供された前記移動先ネットワークの移動管理ネットワーク要素のＩＳＲ機能に従って、前記移動先ネットワークにおいてユーザ機器（ＵＥ）のＩＳＲ状態を設定するように、前記移動先ネットワークの移動管理ネットワーク要素を制御するように構成された、前記移動先ネットワークのサービングゲートウェイ（ＳＧＷ）と、
を備えるシステム。
【請求項３６】
移動元ネットワークのアイドルモードシグナリングリダクション（ＩＳＲ）起動情報を取得するように構成された取得部と、
前記取得部によって取得された移動元ネットワークのＩＳＲ起動情報に従って、移動先ネットワークにおいてユーザ機器（ＵＥ）のＩＳＲ状態を設定するように構成された設定部と、
を備える移動管理ネットワーク要素。
【請求項３７】
前記取得部は、前記ＵＥによって送信されたトラッキングエリア（ＴＡ）更新要求メッセージまたはルーティングエリア（ＲＡ）更新要求メッセージから前記移動元ネットワークのＩＳＲ起動情報を取得するように構成されたＵＥ取得部をさらに備える請求項３６に記載の移動管理ネットワーク要素。
【請求項３８】
前記取得部は、前記移動元ネットワークから前記移動元ネットワークのＩＳＲ起動情報を取得するように構成された移動元ネットワーク取得部をさらに備える請求項３６に記載の移動管理ネットワーク要素。
【請求項３９】
前記設定部は、
前記ＵＥが前記取得部によって取得された移動元ネットワークのＩＳＲ起動情報に従って前記移動元ネットワークにおいてＩＳＲを起動したか否か、および、前記移動管理ネットワーク要素がＩＳＲ機能を有するか否かを判定するように構成された判定部と、
前記判定部が、前記ＵＥが前記移動元ネットワークにおいてＩＳＲを起動し、かつ、前記移動管理ネットワーク要素がＩＳＲ機能を有すると判定したとき、前記移動先ネットワークにおいて前記ＵＥのＩＳＲを起動するように構成された起動部と、
前記起動部によって設定された前記移動先ネットワークにおけるＵＥのＩＳＲ状態を、前記移動先ネットワークのサービングゲートウェイ（ＳＧＷ）および／または前記移動元ネットワークの移動管理ネットワーク要素および／または前記ＵＥに通知するように構成された通知部と、
をさらに備える請求項３６に記載の移動管理ネットワーク要素。
【請求項４０】
前記設定部は、
前記取得部によって取得された移動元ネットワークのＩＳＲ起動情報に従って、前記移動元ネットワークがＩＳＲ機能を有するか否かを判定するように構成された判定部と、
前記判定部が、前記移動元ネットワークがＩＳＲ機能を有すると判定するとき、前記移動先ネットワークにおいて前記ＵＥのＩＳＲを起動するように構成された起動部と、
前記起動部によって設定された前記移動先ネットワークにおけるＵＥのＩＳＲ状態を、前記移動先ネットワークのサービングゲートウェイ（ＳＧＷ）および／または前記移動元ネットワークの移動管理ネットワーク要素および／または前記ＵＥに通知するように構成された通知部と、
をさらに備える請求項３６に記載の移動管理ネットワーク要素。
【請求項４１】
前記設定部は、前記移動先ネットワークの移動管理ネットワーク要素が、ＩＳＲ機能を有し、または、前記移動先ネットワークにおいてＵＥのＩＳＲを起動するように判定したならば、ベアラ更新要求メッセージを前記移動先ネットワークのＳＧＷに送信するように構成された指示メッセージ送信部をさらに備え、
前記ベアラ更新要求メッセージは、加入者の現在のＩＳＲ状態を維持するように前記移動先ネットワークのＳＧＷに指示する情報、または、現在の更新処理がハンドオーバー処理であることを示す情報を含む請求項３９または４０に記載の移動管理ネットワーク要素。
【請求項４２】
前記移動管理ネットワーク要素は、移動管理エンティティ（ＭＭＥ）またはサービング汎用パケット無線サービスサポートノード（ＳＧＳＮ）である請求項３６に記載の移動管理ネットワーク要素。
【請求項４３】
前記移動先ネットワークの移動管理ネットワーク要素がアイドルモードシグナリングリダクション（ＩＳＲ）サポート機能を有するか否かを判定するように構成された判定部と、
前記判定部が、前記移動先ネットワークの移動管理ネットワーク要素がＩＳＲ機能を有すると判定するとき、前記移動先ネットワークにおいてユーザ機器（ＵＥ）のＩＳＲを起動するように構成された起動部と、
前記移動先ネットワークにおけるＵＥのＩＳＲ起動の状態または結果を移動元ネットワークの移動管理ネットワーク要素に通知するように構成された通知部と、
を備える移動管理ネットワーク要素。
【請求項４４】
前記移動先ネットワークの移動管理ネットワーク要素が、ＩＳＲ機能を有し、または、前記移動先ネットワークにおいてＵＥのＩＳＲを起動するように判定したならば、ベアラ更新要求メッセージを前記移動先ネットワークのサービングゲートウェイ（ＳＧＷ）に送信するように構成された指示メッセージ送信部をさらに備え、
前記ベアラ更新要求メッセージは、加入者の現在のＩＳＲ状態を維持するように前記移動先ネットワークのＳＧＷに指示する情報、または、現在の更新処理がハンドオーバー処理であることを示す情報を含む請求項４３に記載の移動管理ネットワーク要素。
【請求項４５】
移動先ネットワークの移動管理ネットワーク要素がＩＳＲ機能を有するとき、移動元ネットワークのＩＳＲ機能またはＩＳＲ起動状態に従って、前記移動先ネットワークにおいてユーザ機器（ＵＥ）のアイドルモードシグナリングリダクション（ＩＳＲ）を起動するか否かを判定するように構成された判定部と、
前記判定部が、前記移動元ネットワークがＩＳＲ機能を有し、または、ＩＳＲを起動したと判定するとき、前記移動先ネットワークにおいてＵＥのＩＳＲを起動するように構成された起動部と、
を備える移動管理ネットワーク要素。
【請求項４６】
前記移動先ネットワークの移動管理ネットワーク要素が、ＩＳＲ機能を有するか、または、前記移動先ネットワークにおいて前記ＵＥのＩＳＲを起動するように判定したならば、ベアラ更新要求メッセージを前記移動先ネットワークのサービングゲートウェイ（ＳＧＷ）に送信するように構成された指示メッセージ送信部をさらに備え、
前記ベアラ更新要求メッセージは、加入者の現在のＩＳＲ状態を維持するように前記移動先ネットワークのＳＧＷに指示する情報、または、現在の更新状態がハンドオーバー状態であることを示す情報を含む請求項４５に記載の移動管理ネットワーク要素。
【請求項４７】
前記起動部によって設定された前記移動先ネットワークにおけるＵＥのＩＳＲ状態を、前記移動先ネットワークのサービングゲートウェイ（ＳＧＷ）および／または前記移動元ネットワークの移動管理ネットワーク要素および／または前記ＵＥに通知するように構成された通知部をさらに備える請求項４５に記載の移動管理ネットワーク要素。
【発明の詳細な説明】
【技術分野】
【０００１】
本発明は、通信技術の分野に関し、より詳しくは、アイドルモードシグナリングリダクション（idle mode signaling reduction（ＩＳＲ））のための方法およびシステムに関する。
＜関連する出願への相互参照＞
本願は、発明の名称を“アイドルモードシグナリングリダクションのための方法およびシステム”とする２００８年１月３０日に出願された中国特許出願第２００８１０００８４４４．４号の優先権の利益を主張し、その全体を引用してここに組み込む。本願は、発明の名称を“アイドルモードシグナリングリダクションのための方法およびシステム”とする２００８年３月１９日に出願された中国特許出願第２００８１００８７５１５．４号の部分的な優先権の利益を主張し、主張する部分的な優先権の内容は、明細書の第１３頁第４行目から第２２頁第１８行目および第２５頁第１行目から第２５行目である。主張する部分的な優先権の内容は、発明の名称を“アイドルモードシグナリングリダクションのための方法およびシステム”とする中国特許出願第２００８１０００８４４４．４号には記載されていない。
【背景技術】
【０００２】
異なる第３世代パートナーシッププロジェクト（Third Generation Partnership Project（３ＧＰＰ））アクセスネットワークが互いに重なり合い、または、隣接するエリアにおいて、加入者がアクセス方式を、例えば、ＧＥＲＡＮ／ＵＴＲＡＮ（ＧＳＭ／ＥＤＧＥ無線アクセスネットワーク／ＵＭＴＳ地上波無線アクセスネットワーク）からＥＵＴＲＡＮ（Evolved UTRAN）に変更するとき、または、ＥＵＴＲＡＮからＧＥＲＡＮ／ＵＴＲＡＮに変更するとき、加入者は位置更新処理を開始する必要があり、これはコアネットワークおよび無線インタフェースに、ある程度の負荷をもたらす。そのようなシグナリング負荷を防止し、異なる３ＧＰＰアクセス方式の間で移動管理機構を最適化するために、３ＧＰＰはアイドルモードにおけるＩＳＲ機構を提案し、これは、異なるアクセスネットワークの間でユーザ機器（ＵＥ）の移動管理処理によって引き起こされるシグナリング負荷を低減させることをねらいとする。ＵＥはサービング汎用パケット無線サービスサポートノード（serving general packet radio service support node（ＳＧＳＮ））および移動管理エンティティ（mobility management entity（ＭＭＥ））にそれぞれ登録され、そしてＩＳＲがイネーブルにされる。従って、ＵＥが、ＳＧＳＮおよびＭＭＥに登録するときに位置したルーティングエリア（Routing Area（ＲＡ））およびトラッキングエリア（Tracking Area（ＴＡ））を離れない限り、そのＵＥは位置更新処理を開始する必要はない。従って、移動加入者が２Ｇ／３ＧセルとＬＴＥ（Long Term Evolution）セルとの間で頻繁にハンドオーバーしても、シグナリング負荷は生じない。さらに、加入者が位置するＲＡまたはＴＡが変更されても、加入者が登録されたＳＧＳＮおよびＭＭＥが変更されない限り、ＵＥによって開始されたＴＡまたはＲＡの更新処理は、ＨＳＳ（Home Subscriber Server）にＳＧＳＮまたはＭＭＥを再登録する必要がない。さらに、加入者のＭＴ（Mobile Terminated）サービスが影響を受けないことを保証するために、サービングゲートウェイ（Serving Gateway（ＳＧＷ））は、加入者を、ＩＳＲがイネーブルされていると記録する必要がある。下りデータを受信するとき、または、そのような加入者にシグナリングするとき、ＳＧＷは、ＳＧＳＮおよびＭＭＥの両方に、同時に呼び出しを開始することを通知し、それによって、加入者が呼び出しできることを保証する。
【発明の概要】
【発明が解決しようとする課題】
【０００３】
発明者は、本発明の実現において、先行技術における少なくとも次の課題、すなわち、ＵＥがネットワーク間でハンドオーバーするとき、ＵＥのＩＳＲ状態は処理することができないという課題を発見した。
【課題を解決するための手段】
【０００４】
本発明の様々な実施形態は、ハンドオーバー処理においてＩＳＲを処理するための方法およびシステムに導かれ、ＵＥがネットワーク間でハンドオーバーするとき、ＵＥのＩＳＲ状態を処理するために適用可能である。
【０００５】
上記目的を達成するために、本発明は次の技術的解決策を提供する。
【０００６】
本発明の一実施形態はＩＳＲのための方法を提供する。前記方法は次のステップを含む。
移動元ネットワークのＩＳＲ起動情報が取得される。
前記取得された移動元ネットワークのＩＳＲ起動情報に従って、移動先ネットワークにおけるＵＥのＩＳＲ状態が設定される。
本発明の一実施形態は、さらに、ＩＳＲのための方法を提供する。前記方法は次のステップを含む。
移動先ネットワークの移動管理ネットワーク要素のＩＳＲ機能が取得される。
前記取得された移動先ネットワークの移動管理ネットワーク要素のＩＳＲ機能に従って、前記移動先ネットワークにおけるＵＥのＩＳＲ状態が設定される。
本発明の一実施形態は、さらに、ＩＳＲのための方法を提供する。前記方法は次のステップを含む。
移動先ネットワークの移動管理ネットワーク要素がＩＳＲ機能を有するか否かが判定され、有するならば、前記移動先ネットワークの移動管理ネットワーク要素が前記移動先ネットワークにおいてＵＥのＩＳＲを起動する。前記移動先ネットワークにおけるＵＥのＩＳＲ起動の状態または結果が移動元ネットワークの移動管理ネットワーク要素に通知される。
【０００７】
本発明の一実施形態は、さらに、ＩＳＲのための方法を提供する。前記方法は次のステップを含む。
移動先ネットワークの移動管理ネットワーク要素がＩＳＲ機能を有するならば、移動元ネットワークのＩＳＲ機能またはＩＳＲ起動状態に従って、前記移動先ネットワークにおいてＵＥのＩＳＲを起動するか否かが判定され、前記移動元ネットワークがＩＳＲをサポートしているか、または、ＩＳＲを起動したならば、前記移動先ネットワークにおいてＵＥのＩＳＲが起動される。
【０００８】
本発明の一実施形態は、さらに、ＩＳＲのためのシステムを提供する。前記システムは、移動先ネットワークの移動管理ネットワーク要素と、前記移動先ネットワークのサービングゲートウェイ（ＳＧＷ）と、を含む。
前記移動先ネットワークの移動管理ネットワーク要素は、移動元ネットワークのＩＳＲ起動情報を取得し、前記取得された移動元ネットワークのＩＳＲ起動情報に従って、前記移動先ネットワークにおけるＵＥのＩＳＲ状態を設定するように構成される。
前記移動先ネットワークのＳＧＷは、前記移動先ネットワークの移動管理ネットワーク要素によって設定された前記移動先ネットワークにおけるＵＥのＩＳＲ状態を記録するように構成される。
【０００９】
本発明の一実施形態は、取得部と、設定部と、を含む移動管理ネットワーク要素を提供する。
前記取得部は、移動元ネットワークのＩＳＲ起動情報を取得するように構成される。
前記設定部は、前記取得部によって取得された移動元ネットワークのＩＳＲ起動情報に従って、移動先ネットワークにおけるＵＥのＩＳＲ状態を設定するように構成される。
本発明の一実施形態は、判定部と、起動部と、通知部と、を含む移動管理ネットワーク要素を提供する。
前記判定部は、移動先ネットワークの移動管理ネットワーク要素がＩＳＲ機能を有するか否かを判定するように構成される。
前記起動部は、前記判定部が、前記移動先ネットワークの移動管理ネットワーク要素がＩＳＲ機能を有すると判定するとき、前記移動先ネットワークにおいてＵＥのＩＳＲを起動するように構成される。
前記通知部は、前記移動先ネットワークにおけるＵＥのＩＳＲ起動の状態または結果を移動元ネットワークの移動管理ネットワーク要素に通知するように構成される。
【００１０】
本発明の一実施形態は、判定部と、起動部と、を含む移動管理ネットワーク要素を提供する。
前記判定部は、移動先ネットワークの移動管理ネットワーク要素がＩＳＲ機能を有するとき、移動元ネットワークのＩＳＲ機能またはＩＳＲ起動状態に従って、前記移動先ネットワークにおいてＵＥのＩＳＲを起動するか否かを判定するように構成される。
前記起動部は、前記判定部が、前記移動元ネットワークがＩＳＲ機能を有するか、または、ＩＳＲを起動したと判定するとき、前記移動先ネットワークにおいてＵＥのＩＳＲを起動するように構成される。
【発明の効果】
【００１１】
本発明の実施形態におけるＩＳＲのための方法およびシステムによって、移動元ネットワークのＩＳＲ起動情報、または、移動先ネットワークの移動管理ネットワーク要素のＩＳＲ機能に従って、移動先ネットワークにおけるＵＥのＩＳＲ状態を設定することができる。従って、ＵＥがネットワーク間でハンドオーバーするとき、ＵＥのＩＳＲ状態を処理することができる。
【図面の簡単な説明】
【００１２】
【図１】本発明の第１実施形態によるＩＳＲのための方法のフローチャートである。
【図２】本発明の第２実施形態によるＩＳＲのための方法のフローチャートである。
【図３】本発明の第３実施形態によるＩＳＲのための方法のフローチャートである。
【図４】本発明の第４実施形態によるＩＳＲのための方法のフローチャートである。
【図５】本発明の第５実施形態によるＩＳＲのための方法のフローチャートである。
【図６】本発明の第６実施形態によるＩＳＲのための方法のフローチャートである。
【図７】本発明の第７実施形態によるＩＳＲのための方法のフローチャートである。
【図８】本発明の第８実施形態によるＩＳＲのための方法のフローチャートである。
【図９】本発明の第９実施形態によるＩＳＲのための方法のフローチャートである。
【図１０】本発明の第１０実施形態によるＩＳＲのための方法のフローチャートである。
【図１１】本発明の第１１実施形態によるＩＳＲのための方法のフローチャートである。
【図１２】本発明によるＩＳＲのためのシステムの第１実施形態の構成図である。
【図１３】本発明によるＩＳＲのためのシステムの第２実施形態の構成図である。
【発明を実施するための形態】
【００１３】
実施形態において、本発明はＩＳＲのための方法およびシステムを提供する。本発明の技術的解決策をより理解しやくするために、以下の添付図面および実施形態を参照して、本発明を詳細に説明する。
【００１４】
図１は、本発明の第１実施形態によるＩＳＲのための方法のフローチャートである。図１を参照すると、この実施形態において、移動元ネットワーク（source network）においてＵＥのＩＳＲが起動された場合、ＵＥが移動先ネットワーク（target network）にハンドオーバーした後に、ＵＥのＩＳＲ起動状態を維持することが実現される。
【００１５】
ＲＡまたはＴＡ更新処理の前のハンドオーバー処理において、移動先ネットワークの移動管理ネットワーク要素は、ベアラ更新要求を移動先ネットワークのＳＧＷに送信し、移動先ネットワークの移動管理ネットワーク要素がＩＳＲ機能を有するならば、ＳＧＷに加入者の現在のＩＳＲ状態を維持するように指示する情報をベアラ更新要求メッセージ内に含める。
【００１６】
ＲＡまたはＴＡ更新処理における具体的なＩＳＲ処理は次のステップを含む。
【００１７】
ステップ１０１において、ＵＥは、ＴＡまたはＲＡ更新要求メッセージを移動先ネットワークの移動管理ネットワーク要素に送信する。
ＵＥによって送信されたＴＡまたはＲＡ更新要求メッセージは、移動元ネットワークのＩＳＲ起動情報を含むことが可能である。
この実施形態において、移動元ネットワークのＩＳＲ起動情報は、加入者の一時的な識別情報またはＩＳＲ状態指示情報とすることが可能である。
【００１８】
ステップ１０２において、移動先ネットワークは、設定（configuration）に従ってセキュリティ機能関連処理を実行する。
【００１９】
ステップ１０３において、移動先ネットワークの移動管理ネットワーク要素は、移動元ネットワークのＩＳＲ起動情報を取得する。
移動先ネットワークの移動管理ネットワーク要素は、ＴＡまたはＲＡ更新要求メッセージから移動元ネットワークのＩＳＲ起動情報を取得することが可能である。
その代わりに、セキュリティ処理が実行されるとき、移動先ネットワークの移動管理ネットワーク要素は、元のアクセス技術を使用する移動元ネットワークの移動管理ネットワーク要素と交信し、セキュリティベクトルを取得する間に移動元ネットワークのＩＳＲ起動情報を取得する。
【００２０】
ステップ１０４において、移動先ネットワークの移動管理ネットワーク要素は、ＵＥが移動元ネットワークにおいてＩＳＲを起動したか否かを判定し、起動したならば、ステップ１０５が実行され、そうでなければ、ステップ１０９が実行される。
移動先ネットワークの移動管理ネットワーク要素は、ＵＥが次の形態で移動元ネットワークにおいてＩＳＲを起動したか否かを判定する。
【００２１】
形態１：移動先ネットワークの移動管理ネットワーク要素は、ＵＥによって送信されたＴＡまたはＲＡ更新要求メッセージ、または、移動元ネットワークの移動管理ネットワーク要素によって送信されたセキュリティベクトルを含む応答メッセージが、異なるアクセス技術に基づいてネットワークによって加入者に割り当てられた一時的な識別情報を含むか否かを判定する。含むならば、移動先ネットワークの移動管理ネットワーク要素は、ＵＥが移動元ネットワークにおいてＩＳＲを起動したと判定し、そうでなければ、移動先ネットワークの移動管理ネットワーク要素は、ＵＥが移動元ネットワークにおいてＩＳＲを起動していないと判定する。
ＩＳＲが起動されたＵＥは、異なるアクセス技術に基づいて２つのネットワークにおける移動管理ネットワーク要素によって加入者に割り当てられた両方の一時的な識別情報を要求メッセージ内に含め、または、移動元ネットワークの移動管理ネットワーク要素は、移動先ネットワークの移動管理ネットワーク要素に送信するためのセキュリティベクトルを含む応答メッセージ内にその両方の一時的な識別情報を含める。例えば、一時的な識別情報は、（ＥＰＳネットワークにおいてＭＭＥによって割り当てられた）Ｓ−ＴＭＳＩおよび（２Ｇまたは３ＧネットワークにおいてＳＧＳＮによって割り当てられた）Ｐ−ＴＭＳＩ、または、ＴＡＩ（ＥＰＳネットワークにおけるＴＡ識別情報）およびＲＡＩ（２Ｇまたは３ＧネットワークにおけるＲＡ識別情報）を含む。
【００２２】
形態２：移動先ネットワークの移動管理ネットワーク要素は、ＵＥによって送信されたＴＡまたはＲＡ更新要求メッセージ、または、移動元ネットワークの移動管理ネットワーク要素によって送信されたセキュリティベクトルを含む応答メッセージが、ＩＳＲ状態が起動されたことを示すＩＳＲ状態指示情報を含むか否かを判定する。含むならば、移動先ネットワークの移動管理ネットワーク要素は、ＵＥが移動元ネットワークにおいてＩＳＲを起動したと判定し、そうでなければ、移動先ネットワークの移動管理ネットワーク要素は、ＵＥが移動元ネットワークにおいてＩＳＲを起動していないと判定する。
【００２３】
ステップ１０５において、移動先ネットワークの移動管理ネットワーク要素は、移動先ネットワークの移動管理ネットワーク要素がＩＳＲ機能を有するか否かを判定し、有するならば、ステップ１０６が実行され、そうでなければ、ステップ１０８が実行される。
【００２４】
ステップ１０６において、移動先ネットワークの移動管理ネットワーク要素は移動先ネットワークにおいてＵＥのＩＳＲを起動し、移動先ネットワークの移動管理ネットワーク要素は移動元ネットワークの移動管理ネットワーク要素と交信し、それぞれのＩＳＲ状態指示情報を交換する。
【００２５】
特に、このステップは次の通りである。
【００２６】
１．移動先ネットワークの移動管理ネットワーク要素は、加入者の要求メッセージ内のＴＡ識別情報またはＲＡ識別情報に従ってドメインネームサーバ（ＤＮＳ）に問い合わせ、移動元ネットワークにおいて異なるアクセス技術を使用する移動管理ネットワーク要素のアドレスを取得し、コンテキスト要求を移動元ネットワークにおける移動管理ネットワーク要素に送信する。
ＴＡまたはＲＡ更新処理の前のハンドオーバーが異なるアクセス技術の間でのハンドオーバーであるならば、移動先ネットワークは、ハンドオーバー処理において移動元ネットワークの移動管理ネットワーク要素のアドレスを直接に使用することができる。その代わりに、移動先ネットワークが、ハンドオーバーの間に移動元ネットワークにおいて異なるアクセス技術を使用する移動管理ネットワーク要素のアドレスを取得したならば、すなわち、移動元ネットワークにおいて元のアクセス技術を使用する移動管理ネットワーク要素が、移動先ネットワークの移動管理ネットワーク要素に送信されるフォワード（forward）ハンドオーバー要求メッセージ内にそのような情報を含めるならば、移動先ネットワークは、移動元ネットワークにおいて異なるアクセス技術を使用する移動管理ネットワーク要素のアドレスを直接に使用することも可能である。その代わりに、セキュリティ処理が実行されるとき、移動先ネットワークの移動管理ネットワーク要素は、セキュリティベクトルとともに、移動元側で異なるアクセス技術を使用する移動管理ネットワーク要素のアドレスを取得するために、移動元ネットワークにおいて元のアクセス技術を使用する移動管理ネットワーク要素と交信することが可能であり、移動先ネットワークはそのアドレスを直接に使用する。
【００２７】
２．移動元ネットワークにおいて異なるアクセス技術を使用する移動管理ネットワーク要素は、コンテキスト応答メッセージを返送する。
【００２８】
３．移動先ネットワークの移動管理ネットワーク要素は、移動元ネットワークにおいて異なるアクセス技術を使用する移動管理ネットワーク要素にコンテキストアクノリッジメッセージを返送し、ここで、コンテキストアクノリッジメッセージは、移動先ネットワークにおいてＵＥのＩＳＲが起動されたことを示す指示情報を含む。
【００２９】
上記ステップ１から３で説明した交信処理は、単に一実施形態であり、同じ目的を達成するために、他の形態の交信を使用することも可能である。さらに、移動元ネットワークにおいて異なるアクセス技術を使用する移動管理ネットワーク要素が、移動先ネットワークの移動管理ネットワーク要素との結合（association）を確立することを要求されないとき、ステップ１から３は省略することが可能である。
【００３０】
ステップ１０７において、移動先ネットワークの移動管理ネットワーク要素は、ＵＥが移動先ネットワークにおいてＩＳＲを起動することに成功したか否かを判定し、成功したならば、ステップ１０９が実行され、そうでなければ、ステップ１０８が実行される。
【００３１】
ステップ１０８において、移動先ネットワークの移動管理ネットワーク要素は、ベアラ更新要求をＳＧＷに送信し、ここで、ベアラ更新要求は、移動先ネットワークにおけるＵＥのＩＳＲ状態指示情報を含む。
【００３２】
特に、移動先ネットワークの移動管理ネットワーク要素によって送信されるベアラ更新要求は、移動先ネットワークにおけるＵＥのＩＳＲ状態をＳＧＷに示す指示情報を含むことが可能であり、その代わりに、ベアラ更新要求は、移動先ネットワークにおけるＵＥのＩＳＲ状態が、起動されている、であるときのみ、対応するＩＳＲ起動指示情報を含み、そうでなければ、この要求はこの情報を含まない。従って、ＳＧＷは、この要求がＩＳＲ起動指示情報を含み、かつ、このＩＳＲ起動指示情報が、ＵＥのＩＳＲ状態が起動されていることを示すときのみ、移動先ネットワークにおけるＵＥのＩＳＲ状態が、起動されている、であるとみなす。
【００３３】
ステップ１０９において、移動先ネットワークの移動管理ネットワーク要素は、位置更新処理を開始し、そのアドレスを加入者データ管理装置に登録し、加入者の加入データを取得する。
【００３４】
ステップ１１０において、移動先ネットワークの移動管理ネットワーク要素は、ＩＳＲ状態指示情報を含むＴＡまたはＲＡ更新受理メッセージをＵＥに送信する。
【００３５】
ステップ１１１において、ＵＥは、ＴＡまたはＲＡ更新完了メッセージを移動先ネットワークの移動管理ネットワーク要素に返送する。
【００３６】
ＲＡ更新は、移動先ネットワークが２Ｇ／３Ｇネットワークであり、かつ、移動先ネットワークの移動管理ネットワーク要素がＳＧＳＮである場合に適用可能であり、ＴＡ更新は、移動先ネットワークがＬＴＥネットワークであり、かつ、移動先ネットワークの移動管理ネットワーク要素がＭＭＥである場合に適用可能である。
【００３７】
図２は、本発明の第２実施形態によるＩＳＲのための方法のフローチャートである。この実施形態において、移動元ネットワークと移動先ネットワークの両方がＩＳＲ機能を有するならば、ＵＥが移動元ネットワークにおいてＩＳＲを起動したか否かに関係なく、ＵＥは、移動先ネットワークにハンドオーバーした後に、ＩＳＲを起動できる。
【００３８】
ＲＡまたはＴＡ更新処理の前のハンドオーバー処理において、移動先ネットワークの移動管理ネットワーク要素は、ベアラ更新要求を移動先ネットワークのＳＧＷに送信し、移動先ネットワークの移動管理ネットワーク要素がＩＳＲ機能を有するならば、移動先ネットワークの移動管理ネットワーク要素は、要求メッセージによって、起動されたＩＳＲを停止しないようにＳＧＷに指示し、さらに、ＩＳＲが現在、起動されていない場合、現在のアクセス技術と異なるアクセス技術を使用するアクセス技術側のベアラコンテキスト情報は上書きされず、すなわち、異なるアクセス技術のベアラコンテキスト情報が存在するならば、２つのアクセス技術の両方のベアラコンテキストは同時に保存される。
【００３９】
ＲＡまたはＴＡ更新処理における具体的なＩＳＲ処理は次のステップを含む。
【００４０】
ステップ２０１において、ＵＥは、ＴＡまたはＲＡ更新要求メッセージを移動先ネットワークの移動管理ネットワーク要素に送信する。
【００４１】
ステップ２０２において、移動先ネットワークは、設定に従ってセキュリティ機能関連処理を実行する。
【００４２】
ステップ２０３において、移動先ネットワークの移動管理ネットワーク要素は、それがＩＳＲ機能を有するか否かを判定し、有するならば、ステップ２０４が実行され、そうでなければ、ステップ２０７が実行される。
【００４３】
ステップ２０４において、移動先ネットワークの移動管理ネットワーク要素は、コンテキスト要求メッセージを、移動元ネットワークにおいて異なるアクセス技術を使用する移動管理ネットワーク要素に送信する。
移動先ネットワークの移動管理ネットワーク要素が、コンテキスト要求メッセージを、移動元ネットワークにおいて異なるアクセス技術を使用する移動管理ネットワーク要素に送信する前に、さらに次の処理が含まれる。
【００４４】
移動先ネットワークの移動管理ネットワーク要素は、加入者の要求メッセージ内のＴＡ識別情報またはＲＡ識別情報に従ってＤＮＳに問い合わせ、移動元ネットワークにおいて異なるアクセス技術を使用する移動管理ネットワーク要素のアドレスを取得し、コンテキスト要求を移動元ネットワークにおける移動管理ネットワーク要素に送信する。
ＴＡまたはＲＡ更新処理の前のハンドオーバーが異なるアクセス技術の間でのハンドオーバーであるならば、移動先ネットワークは、ハンドオーバー処理の間に移動元ネットワークにおいて異なるアクセス技術を使用する移動管理ネットワーク要素のアドレスを直接に使用することができる。その代わりに、移動先ネットワークが、ハンドオーバーの間に移動元ネットワークにおいて異なるアクセス技術を使用する移動管理ネットワーク要素のアドレスを取得したならば、すなわち、移動元ネットワークにおいて元のアクセス技術を使用する移動管理ネットワーク要素が、移動先ネットワークの移動管理ネットワーク要素に送信されるフォワードハンドオーバー要求メッセージ内にそのような情報を含めるならば、移動先ネットワークは、移動元ネットワークにおいて異なるアクセス技術を使用する移動管理ネットワーク要素のアドレスを直接に使用することも可能である。その代わりに、セキュリティ処理が実行されるとき、移動先ネットワークの移動管理ネットワーク要素は、セキュリティベクトルとともに、移動元側で異なるアクセス技術を使用する移動管理ネットワーク要素のアドレスを取得するために、移動元ネットワークにおいて元のアクセス技術を使用する移動管理ネットワーク要素と交信することが可能であり、移動先ネットワークはそのアドレスを直接に使用する。
【００４５】
ステップ２０５において、移動元ネットワークにおいて異なるアクセス技術を使用する移動管理ネットワーク要素は、移動元ネットワークにおいて異なるアクセス技術を使用する移動管理ネットワーク要素のＩＳＲ機能情報を含むコンテキスト応答メッセージを返送する。
【００４６】
ステップ２０６において、移動先ネットワークの移動管理ネットワーク要素は、移動元ネットワークのＩＳＲ機能に従って、移動先ネットワークにおいてＵＥのＩＳＲを起動するか否かを判定する。
【００４７】
ステップ２０４から２０６で説明した交信は、単に一実施形態であり、同じ目的を達成するために、他の形態の交信を使用することも可能である。
【００４８】
ステップ２０７において、移動先ネットワークの移動管理ネットワーク要素は、ベアラ更新要求をＳＧＷに送信し、ここで、ベアラ更新要求は、移動先ネットワークにおけるＵＥのＩＳＲ状態指示情報を含む。
【００４９】
特に、移動先ネットワークの移動管理ネットワーク要素によって送信されるベアラ更新要求は、移動先ネットワークにおけるＵＥのＩＳＲ状態をＳＧＷに示す指示情報を含むことが可能であり、その代わりに、ベアラ更新要求は、移動先ネットワークにおけるＵＥのＩＳＲ状態が、起動されている、であるときのみ、対応するＩＳＲ起動指示情報を含み、そうでなければ、この要求はこの情報を含まない。従って、ＳＧＷは、この要求がＩＳＲ起動指示情報を含み、かつ、このＩＳＲ起動指示情報がＵＥのＩＳＲ状態が起動されていることを示すときのみ、移動先ネットワークにおけるＵＥのＩＳＲ状態が、起動されている、であるとみなす。
【００５０】
ステップ２０８において、移動先ネットワークの移動管理ネットワーク要素は、位置更新処理を開始し、そのアドレスを加入者データ管理装置に登録し、加入者の加入データを取得する。
【００５１】
ステップ２０９において、移動先ネットワークの移動管理ネットワーク要素は、ＩＳＲ状態指示情報を含むＴＡまたはＲＡ更新受理メッセージをＵＥに送信する。
【００５２】
ステップ２１０において、ＵＥは、ＴＡまたはＲＡ更新完了メッセージを移動先ネットワークの移動管理ネットワーク要素に返送する。
【００５３】
図３は、本発明の第３実施形態によるＩＳＲのための方法のフローチャートである。図３を参照すると、この実施形態において、ＵＥは、異なる３ＧＰＰアクセス技術を使用するネットワーク間でハンドオーバーする。また、この実施形態において、移動元ネットワークにおいてＵＥのＩＳＲが起動されている場合のみ、ＵＥが移動先ネットワークにハンドオーバーした後に、ＵＥのＩＳＲ起動状態を維持することが実現される。
【００５４】
ハンドオーバー処理における具体的なＩＳＲ処理は次の通りである。
【００５５】
ステップ３０１において、移動元ネットワークは、ハンドオーバー要求メッセージを移動元ネットワークの移動管理ネットワーク要素に送信し、ハンドオーバーを開始することを要求し、ここで、ハンドオーバー要求メッセージは、転送されるベアラコンテキストを含む。
【００５６】
ステップ３０２において、移動元ネットワークの移動管理ネットワーク要素は、移動先ネットワークの移動管理ネットワーク要素を選択し、フォワードハンドオーバー要求メッセージを移動先ネットワークの移動管理ネットワーク要素に送信し、ここで、このメッセージは、移動元ネットワークのＩＳＲ起動情報を含む。
この実施形態において、移動元ネットワークのＩＳＲ起動情報は、移動元ネットワークにおいてＵＥのＩＳＲ状態が起動されていることを示す指示情報である。
【００５７】
ステップ３０３において、移動先ネットワークの移動管理ネットワーク要素は、移動先ネットワークのＳＧＷを選択し、対応するベアラリソースおよびデータ転送リソースをハンドオーバー加入者に割り当てる。
【００５８】
ステップ３０４において、移動先ネットワークの移動管理ネットワーク要素は、フォワードハンドオーバー要求メッセージから移動元ネットワークのＩＳＲ起動情報を取得し、移動先ネットワークにおいてＵＥのＩＳＲを起動するか否かを判定する。
【００５９】
ステップ３０５において、移動先ネットワークの移動管理ネットワーク要素は、フォワードハンドオーバー応答メッセージを移動元ネットワークの移動管理ネットワーク要素に返送し、ここで、フォワードハンドオーバー応答メッセージは、移動先ネットワークにおけるＵＥのＩＳＲ状態が起動されていることを示す指示情報を含む。
【００６０】
ステップ３０６において、移動元ネットワークの移動管理ネットワーク要素は、移動元ネットワークに、ハンドオーバーを開始するように命令する。
【００６１】
ステップ３０７において、移動元アクセスネットワークは、ＵＥに、ハンドオーバーを開始することを通知する。
【００６２】
ステップ３０８において、移動元アクセスネットワークは、移動先ネットワークにデータを転送することを開始する。
【００６３】
ステップ３０９において、ＵＥは、移動先アクセスネットワークへのアクセスに成功する。
【００６４】
ステップ３１０において、ＵＥが移動先アクセスネットワークにアクセスしたことを確認した後に、移動先アクセスネットワークは、ハンドオーバー通知を移動先ネットワークの移動管理ネットワーク要素に送信する。
【００６５】
ステップ３１１において、移動先ネットワークの移動管理ネットワーク要素は、フォワードハンドオーバー完了メッセージを移動元ネットワークの移動管理ネットワーク要素に送信する。
【００６６】
ステップ３１２において、移動元ネットワークの移動管理ネットワーク要素は、フォワードハンドオーバー完了アクノリッジメッセージを移動先ネットワークの移動管理ネットワーク要素に返送する。
【００６７】
ステップ３１３において、移動先ネットワークの移動管理ネットワーク要素は、ユーザプレーンベアラ情報を更新するために、ベアラ更新要求メッセージを移動先ネットワークのＳＧＷに送信し、ここで、ベアラ更新要求メッセージは、ＩＳＲ状態が起動されていることを示す指示情報を含む。
【００６８】
ステップ３１４において、移動先ネットワークのＳＧＷは、ＰＤＮ  ＧＷ（Packet Data Network Gateway）についてのベアラ情報、例えば、加入者のアクセスネットワークの種類を更新するために、ベアラ更新処理を開始する。
【００６９】
ステップ３１５において、移動先ネットワークのＳＧＷは、ベアラ更新応答メッセージを移動先ネットワークの移動管理ネットワーク要素に返送する。
【００７０】
ハンドオーバー処理の後のＲＡまたはＴＡ更新処理において、移動先ネットワークの移動管理ネットワーク要素は、ＵＥに送信されるＴＡまたはＲＡ更新受理応答メッセージ内にＩＳＲ状態が起動されていることを示す指示情報を含める。
【００７１】
この実施形態において、移動管理ネットワーク要素は、ＭＭＥまたはＳＧＳＮとすることが可能である。
【００７２】
図４は、本発明の第４実施形態によるＩＳＲのための方法のフローチャートである。図４を参照すると、この実施形態において、ＵＥは、異なる３ＧＰＰアクセス技術を使用するネットワーク間でハンドオーバーする。この実施形態において、移動元ネットワークと移動先ネットワークの両方がＩＳＲ機能を有するならば、ＵＥが移動元ネットワークにおいてＩＳＲを起動したか否かに関係なく、ＵＥは、移動先ネットワークにハンドオーバーした後に、ＩＳＲを起動できることが実現される。
【００７３】
ハンドオーバー処理における具体的なＩＳＲ処理は次の通りである。
【００７４】
ステップ４０１において、移動元ネットワークは、ハンドオーバー要求メッセージを移動元ネットワークの移動管理ネットワーク要素に送信し、ハンドオーバーを開始することを要求し、ここで、ハンドオーバー要求メッセージは、転送されるベアラコンテキストを含む。
【００７５】
ステップ４０２において、移動元ネットワークの移動管理ネットワーク要素は、移動先ネットワークの移動管理ネットワーク要素を選択し、フォワードハンドオーバー要求メッセージを移動先ネットワークの移動管理ネットワーク要素に送信し、ここで、このメッセージは、移動元ネットワークのＩＳＲ起動情報を含む。
この実施形態において、移動元ネットワークのＩＳＲ起動情報は、ＵＥが移動元ネットワークにおいてＩＳＲ起動サポート機能を有することを示す指示情報である。
【００７６】
ステップ４０３において、移動先ネットワークの移動管理ネットワーク要素は、移動先ネットワークのＳＧＷを選択し、対応するベアラリソースおよびデータ転送リソースをハンドオーバー加入者に割り当てる。
【００７７】
ステップ４０４において、移動先ネットワークの移動管理ネットワーク要素は、フォワードハンドオーバー要求メッセージから移動元ネットワークのＩＳＲ起動情報を取得し、移動先ネットワークにおいてＵＥのＩＳＲを起動するか否かを判定する。
【００７８】
ステップ４０５において、移動先ネットワークの移動管理ネットワーク要素は、フォワードハンドオーバー応答メッセージを移動元ネットワークの移動管理ネットワーク要素に返送し、ここで、フォワードハンドオーバー応答メッセージは、移動先ネットワークにおけるＵＥのＩＳＲ状態が起動されていることを示す指示情報を含む。
【００７９】
ステップ４０６において、移動元ネットワークの移動管理ネットワーク要素は、移動元ネットワークに、ハンドオーバーを開始するように命令する。
【００８０】
ステップ４０７において、移動元アクセスネットワークは、ＵＥに、ハンドオーバーを開始することを通知する。
【００８１】
ステップ４０８において、移動元アクセスネットワークは、移動先ネットワークにデータを転送することを開始する。
【００８２】
ステップ４０９において、ＵＥは、移動先アクセスネットワークへのアクセスに成功する。
【００８３】
ステップ４１０において、ＵＥが移動先アクセスネットワークにアクセスしたことを確認した後に、移動先アクセスネットワークは、ハンドオーバー通知を移動先ネットワークの移動管理ネットワーク要素に送信する。
【００８４】
ステップ４１１において、移動先ネットワークの移動管理ネットワーク要素は、フォワードハンドオーバー完了メッセージを移動元ネットワークの移動管理ネットワーク要素に送信する。
【００８５】
ステップ４１２において、移動元ネットワークの移動管理ネットワーク要素は、フォワードハンドオーバー完了アクノリッジメッセージを移動先ネットワークの移動管理ネットワーク要素に返送する。
【００８６】
ステップ４１３において、移動先ネットワークの移動管理ネットワーク要素は、ユーザプレーンベアラ情報を更新するために、ベアラ更新要求メッセージを移動先ネットワークのＳＧＷに送信し、ここで、ベアラ更新要求メッセージは、ＩＳＲ状態が起動されていることを示す指示情報を含む。
【００８７】
ステップ４１４において、移動先ネットワークのＳＧＷは、ＰＤＮ  ＧＷについてのベアラ情報、例えば、加入者のアクセスネットワークの種類を更新するために、ベアラ更新処理を開始する。
【００８８】
ステップ４１５において、移動先ネットワークのＳＧＷは、ベアラ更新応答メッセージを移動先ネットワークの移動管理ネットワーク要素に返送する。
【００８９】
ハンドオーバー処理の後のＲＡまたはＴＡ更新処理において、移動先ネットワークの移動管理ネットワーク要素は、ＵＥに送信されるＴＡまたはＲＡ更新受理応答メッセージ内にＩＳＲ状態が起動されていることを示す指示情報を含める。
【００９０】
図５は、本発明の第５実施形態によるＩＳＲのための方法のフローチャートである。この実施形態において、ＩＳＲ機構は、移動元ネットワークの移動管理ネットワーク要素と移動先ネットワークの移動管理ネットワーク要素の間で結合を確立することを必要としない。また、この実施形態において、移動元ネットワークにおいてＵＥのＩＳＲが起動されている場合、ＵＥが移動先ネットワークにハンドオーバーした後に、ＵＥのＩＳＲ起動状態を維持することが実現される。
【００９１】
ハンドオーバー処理における具体的なＩＳＲ処理は次の通りである。
【００９２】
ステップ５０１において、移動元ネットワークは、ハンドオーバー要求メッセージを移動元ネットワークの移動管理ネットワーク要素に送信し、ハンドオーバーを開始することを要求し、ここで、ハンドオーバー要求メッセージは、転送されるベアラコンテキストを含む。
【００９３】
ステップ５０２において、移動元ネットワークの移動管理ネットワーク要素は、移動先ネットワークの移動管理ネットワーク要素を選択し、フォワードハンドオーバー要求メッセージを移動先ネットワークの移動管理ネットワーク要素に送信する。
【００９４】
ステップ５０３において、移動先ネットワークの移動管理ネットワーク要素は、移動先ネットワークのＳＧＷを選択し、対応するベアラリソースおよびデータ転送リソースをハンドオーバー加入者に割り当てる。
【００９５】
ステップ５０４において、移動先ネットワークの移動管理ネットワーク要素は、フォワードハンドオーバー応答メッセージを移動元ネットワークの移動管理ネットワーク要素に返送する。
【００９６】
ステップ５０５において、移動元ネットワークの移動管理ネットワーク要素は、移動元ネットワークに、ハンドオーバーを開始するように命令する。
【００９７】
ステップ５０６において、移動元アクセスネットワークは、ＵＥに、ハンドオーバーを開始することを通知する。
【００９８】
ステップ５０７において、移動元アクセスネットワークは、移動先ネットワークにデータを転送することを開始する。
【００９９】
ステップ５０８において、ＵＥは、移動先アクセスネットワークへのアクセスに成功する。
【０１００】
ステップ５０９において、ＵＥが移動先アクセスネットワークにアクセスしたことを確認した後に、移動先アクセスネットワークは、ハンドオーバー通知を移動先ネットワークの移動管理ネットワーク要素に送信する。
【０１０１】
ステップ５１０において、移動先ネットワークの移動管理ネットワーク要素は、フォワードハンドオーバー完了メッセージを移動元ネットワークの移動管理ネットワーク要素に送信する。
【０１０２】
ステップ５１１において、移動元ネットワークの移動管理ネットワーク要素は、フォワードハンドオーバー完了アクノリッジメッセージを移動先ネットワークの移動管理ネットワーク要素に返送する。
【０１０３】
ステップ５１２において、移動先ネットワークの移動管理ネットワーク要素は、ユーザプレーンベアラ情報を更新するために、ベアラ更新要求メッセージを移動先ネットワークのＳＧＷに送信し、ここで、ベアラ更新要求メッセージは、移動先ネットワークの移動管理ネットワーク要素のＩＳＲ機能情報を含む。
【０１０４】
ステップ５１３において、移動先ネットワークのＳＧＷは、ＰＤＮ  ＧＷについてのベアラ情報、例えば、加入者のアクセスネットワークの種類を更新するために、ベアラ更新処理を開始する。
【０１０５】
ステップ５１４において、移動先ネットワークのＳＧＷは、移動先ネットワークの移動管理ネットワーク要素のＩＳＲ機能に従って、ＵＥのＩＳＲ起動状態を維持するか否かを判定し、ベアラ更新応答メッセージを移動先ネットワークの移動管理ネットワーク要素に返送する。ＩＳＲが連続して起動されているならば、応答メッセージはＩＳＲ起動指示情報を含む。
【０１０６】
ハンドオーバー処理の後のＲＡまたはＴＡ更新処理において、移動先ネットワークの移動管理ネットワーク要素は、ＵＥに送信されるＴＡまたはＲＡ更新受理応答メッセージ内にＩＳＲ状態指示情報を含める。
【０１０７】
図６は、本発明の第６実施形態によるＩＳＲのための方法のフローチャートである。
【０１０８】
図６を参照すると、ハンドオーバー処理における具体的なＩＳＲ処理は次の通りである。
【０１０９】
ステップ６０１において、移動元ネットワークは、ハンドオーバー要求メッセージを移動元ネットワークの移動管理ネットワーク要素に送信し、ハンドオーバーを開始することを要求し、ここで、ハンドオーバー要求メッセージは、転送されるベアラコンテキストを含む。
【０１１０】
ステップ６０２において、移動元ネットワークの移動管理ネットワーク要素は、移動先ネットワークの移動管理ネットワーク要素を選択し、フォワードハンドオーバー要求メッセージを移動先ネットワークの移動管理ネットワーク要素に送信し、ここで、フォワードハンドオーバー要求メッセージは、移動元ネットワークのＩＳＲ起動情報を含む。
この実施形態において、移動元ネットワークのＩＳＲ起動情報は、移動元ネットワークにおいてＵＥのＩＳＲ状態が起動されていることを示す指示情報とすることが可能である。
【０１１１】
ステップ６０３において、移動先ネットワークの移動管理ネットワーク要素は、移動先ネットワークのＳＧＷを選択し、対応するベアラリソースおよびデータ転送リソースをハンドオーバー加入者に割り当てる。
【０１１２】
ステップ６０４において、移動先ネットワークの移動管理ネットワーク要素は、フォワードハンドオーバー要求メッセージから移動元ネットワークのＩＳＲ起動情報を取得する。
【０１１３】
ステップ６０５において、移動先ネットワークの移動管理ネットワーク要素は、フォワードハンドオーバー応答メッセージを移動元ネットワークの移動管理ネットワーク要素に返送する。
【０１１４】
ステップ６０６において、移動元ネットワークの移動管理ネットワーク要素は、移動元ネットワークに、ハンドオーバーを開始するように命令する。
【０１１５】
ステップ６０７において、移動元ネットワークは、ＵＥに、ハンドオーバーを開始することを通知する。
【０１１６】
ステップ６０８において、移動元ネットワークは、移動先ネットワークにデータを転送することを開始する。
【０１１７】
ステップ６０９において、ＵＥは、移動先ネットワークへのアクセスに成功する。
【０１１８】
ステップ６１０において、ＵＥが移動先ネットワークにアクセスしたことを確認した後に、移動先ネットワークは、ハンドオーバー通知を移動先ネットワークの移動管理ネットワーク要素に送信する。
【０１１９】
ステップ６１１において、移動先ネットワークの移動管理ネットワーク要素は、フォワードハンドオーバー完了メッセージを移動元ネットワークの移動管理ネットワーク要素に送信する。
【０１２０】
ステップ６１２において、移動元ネットワークの移動管理ネットワーク要素は、フォワードハンドオーバー完了アクノリッジメッセージを移動先ネットワークの移動管理ネットワーク要素に返送する。
【０１２１】
ステップ６１３において、移動先ネットワークの移動管理ネットワーク要素は、ユーザプレーンベアラ情報を更新するために、ベアラ更新要求メッセージを移動先ネットワークのＳＧＷに送信する。
移動先ネットワークの移動管理ネットワーク要素が移動先ネットワークにおいてＵＥのＩＳＲを起動することを判定したならば、ベアラ更新要求メッセージは、加入者の現在のＩＳＲ状態を維持するようにＳＧＷに指示する情報を含み、ＳＧＷは、この指示情報に従って、加入者の現在のＩＳＲ状態を変更せずに維持する。ここで、この指示は、加入者のＩＳＲ状態を変更せずに維持するようにＳＧＷに直接に指示し、または、加入者のＩＳＲ状態を変更せずに維持するようにＳＧＷに直接に指示するために、現在の更新処理がハンドオーバー処理であることを示すことが可能である。
【０１２２】
ステップ６１４において、移動先ネットワークのＳＧＷは、ＰＤＮ  ＧＷについてのベアラ情報、例えば、加入者のアクセスネットワークの種類を更新するために、ベアラ更新処理を開始する。
【０１２３】
ステップ６１５において、移動先ネットワークのＳＧＷは、ベアラ更新応答メッセージを移動先ネットワークの移動管理ネットワーク要素に返送する。
【０１２４】
図７は、本発明の第７実施形態によるＩＳＲのための方法のフローチャートである。
【０１２５】
図７を参照すると、ＲＡまたはＴＡ更新処理における具体的なＩＳＲ処理は次のステップを含む。
【０１２６】
ステップ７０１において、ＵＥは、ＴＡまたはＲＡ更新要求メッセージを移動先ネットワークの移動管理ネットワーク要素に送信する。
【０１２７】
ステップ７０２において、移動先ネットワークは、設定に従ってセキュリティ機能関連処理を実行する。
【０１２８】
ステップ７０３において、移動先ネットワークの移動管理ネットワーク要素は、ＵＥが移動元ネットワークにおいてＩＳＲを起動したか否かを判定し、起動したならば、ステップ７０４が実行され、そうでなければ、ステップ７０８が実行される。
この実施形態において、移動先ネットワークの移動管理ネットワーク要素は、次のようにして、移動元ネットワークがＩＳＲを起動したか否かを判定する。
移動元ネットワークの移動管理ネットワーク要素によって送信されたフォワードハンドオーバー要求メッセージがＩＳＲ状態指示情報を含むか否か、および、そのＩＳＲ状態指示情報が、ＩＳＲ状態が起動されていることを示しているか否かを判定することによって、移動元ネットワークがＩＳＲを起動したか否かが判定される。
【０１２９】
ステップ７０４において、移動先ネットワークの移動管理ネットワーク要素は、移動先ネットワークの移動管理ネットワーク要素がＩＳＲ機能を有するか否かを判定し、有するならば、ステップ７０５が実行され、そうでなければ、ステップ７０７が実行される。
【０１３０】
ステップ７０５において、移動先ネットワークの移動管理ネットワーク要素は移動先ネットワークにおいてＵＥのＩＳＲを起動し、移動先ネットワークの移動管理ネットワーク要素は移動元ネットワークの移動管理ネットワーク要素と交信し、それぞれのＩＳＲ状態指示情報を交換する。
【０１３１】
特に、このステップは次の通りである。
【０１３２】
１．移動先ネットワークの移動管理ネットワーク要素は、加入者の要求メッセージ内のＴＡ識別情報またはＲＡ識別情報に従ってＤＮＳに問い合わせ、移動元ネットワークにおいて異なるアクセス技術を使用する移動管理ネットワーク要素のアドレスを取得し、コンテキスト要求を移動元ネットワークにおける移動管理ネットワーク要素に送信する。
ＴＡまたはＲＡ更新処理の前のハンドオーバーが異なるアクセス技術の間でのハンドオーバーであるならば、移動先ネットワークは、ハンドオーバー処理において移動元ネットワークの移動管理ネットワーク要素のアドレスを直接に使用することができる。その代わりに、移動先ネットワークが、ハンドオーバーの間に移動元ネットワークにおいて異なるアクセス技術を使用する移動管理ネットワーク要素のアドレスを取得したならば、すなわち、移動元ネットワークにおいて元のアクセス技術を使用する移動管理ネットワーク要素が、移動先ネットワークの移動管理ネットワーク要素に送信されるフォワードハンドオーバー要求メッセージ内にそのような情報を含めるならば、移動先ネットワークは、移動元ネットワークにおいて異なるアクセス技術を使用する移動管理ネットワーク要素のアドレスを直接に使用することも可能である。その代わりに、セキュリティ処理が実行されるとき、移動先ネットワークの移動管理ネットワーク要素は、セキュリティベクトルとともに、移動元側で異なるアクセス技術を使用する移動管理ネットワーク要素のアドレスを取得するために、移動元ネットワークにおいて元のアクセス技術を使用する移動管理ネットワーク要素と交信することが可能であり、移動先ネットワークはそのアドレスを直接に使用する。
【０１３３】
２．移動元ネットワークにおいて異なるアクセス技術を使用する移動管理ネットワーク要素は、コンテキスト応答メッセージを返送する。
【０１３４】
３．移動先ネットワークの移動管理ネットワーク要素は、移動元ネットワークにおいて異なるアクセス技術を使用する移動管理ネットワーク要素にコンテキストアクノリッジメッセージを返送し、ここで、コンテキストアクノリッジメッセージは、移動先ネットワークにおいてＵＥのＩＳＲが起動されたことを示す指示情報を含む。
【０１３５】
上記ステップ１から３で説明した交信処理は、単に一実施形態であり、同じ目的を達成するために、他の形態の交信を使用することも可能である。さらに、移動元ネットワークにおいて異なるアクセス技術を使用する移動管理ネットワーク要素が、移動先ネットワークの移動管理ネットワーク要素との結合を確立することを要求されないとき、ステップ１から３は省略することが可能である。
【０１３６】
ステップ７０６において、移動先ネットワークの移動管理ネットワーク要素は、ＵＥが移動先ネットワークにおいてＩＳＲを起動することに成功したか否かを判定し、成功したならば、ステップ７０８が実行され、そうでなければ、ステップ７０７が実行される。
【０１３７】
ステップ７０７において、移動先ネットワークの移動管理ネットワーク要素は、ベアラ更新要求をＳＧＷに送信し、ここで、ベアラ更新要求は、移動先ネットワークにおけるＵＥのＩＳＲ状態指示情報を含む。
【０１３８】
特に、移動先ネットワークの移動管理ネットワーク要素によって送信されるベアラ更新要求は、移動先ネットワークにおけるＵＥのＩＳＲ状態をＳＧＷに示す指示情報を含むことが可能であり、その代わりに、ベアラ更新要求は、移動先ネットワークにおけるＵＥのＩＳＲ状態が、起動されている、であるときのみ、対応するＩＳＲ起動指示情報を含み、そうでなければ、この要求はこの情報を含まない。従って、ＳＧＷは、この要求がＩＳＲ起動指示情報を含み、かつ、このＩＳＲ起動指示情報が、ＵＥのＩＳＲ状態が起動されていることを示すときのみ、移動先ネットワークにおけるＵＥのＩＳＲ状態が、起動されている、であるとみなす。
【０１３９】
ステップ７０８において、移動先ネットワークの移動管理ネットワーク要素は、位置更新処理を開始し、そのアドレスを加入者データ管理装置に登録し、加入者の加入データを取得する。
【０１４０】
ステップ７０９において、移動先ネットワークの移動管理ネットワーク要素は、ＩＳＲ状態指示情報を含むＴＡまたはＲＡ更新受理メッセージをＵＥに送信する。
【０１４１】
ステップ７１０において、ＵＥは、ＴＡまたはＲＡ更新完了メッセージを移動先ネットワークの移動管理ネットワーク要素に返送する。
【０１４２】
ＲＡ更新は、移動先ネットワークが２Ｇ／３Ｇネットワークであり、かつ、移動先ネットワークの移動管理ネットワーク要素がＳＧＳＮである場合に適用可能であり、ＴＡ更新は、移動先ネットワークがＬＴＥネットワークであり、かつ、移動先ネットワークの移動管理ネットワーク要素がＭＭＥである場合に適用可能である。
【０１４３】
図８は、本発明の第８実施形態によるＩＳＲのための方法のフローチャートである。第８実施形態は、上述した第６実施形態と類似しているが、ハンドオーバー処理において移動元ネットワークのＩＳＲ起動情報を取得するために異なる方法を使用する。
【０１４４】
図８を参照すると、ハンドオーバー処理における具体的なＩＳＲ処理は次の通りである。
【０１４５】
ステップ８０１において、移動元ネットワークは、ハンドオーバー要求メッセージを移動元ネットワークの移動管理ネットワーク要素に送信し、ハンドオーバーを開始することを要求し、ここで、ハンドオーバー要求メッセージは、転送されるベアラコンテキストを含む。
【０１４６】
ステップ８０２において、移動元ネットワークの移動管理ネットワーク要素は、移動先ネットワークの移動管理ネットワーク要素を選択し、フォワードハンドオーバー要求メッセージを移動先ネットワークの移動管理ネットワーク要素に送信する。
【０１４７】
ステップ８０３において、移動先ネットワークの移動管理ネットワーク要素は、移動先ネットワークのＳＧＷを選択し、対応するベアラリソースおよびデータ転送リソースをハンドオーバー加入者に割り当てる。
【０１４８】
ステップ８０４において、移動先ネットワークの移動管理ネットワーク要素は、フォワードハンドオーバー応答メッセージを移動元ネットワークの移動管理ネットワーク要素に返送する。
【０１４９】
ステップ８０５において、移動元ネットワークの移動管理ネットワーク要素は、移動元ネットワークに、ハンドオーバーを開始するように命令する。
【０１５０】
ステップ８０６において、移動元アクセスネットワークは、ＵＥに、ハンドオーバーを開始することを通知する。
【０１５１】
ステップ８０７において、移動元アクセスネットワークは、移動先ネットワークにデータを転送することを開始する。
【０１５２】
ステップ８０８において、ＵＥは、移動先アクセスネットワークへのアクセスに成功する。
【０１５３】
ステップ８０９において、ＵＥが移動先アクセスネットワークにアクセスしたことを確認した後に、移動先アクセスネットワークは、ハンドオーバー通知を移動先ネットワークの移動管理ネットワーク要素に送信する。
【０１５４】
ステップ８１０において、移動先ネットワークの移動管理ネットワーク要素は、フォワードハンドオーバー完了メッセージを移動元ネットワークの移動管理ネットワーク要素に送信する。
【０１５５】
ステップ８１１において、移動元ネットワークの移動管理ネットワーク要素は、フォワードハンドオーバー完了アクノリッジメッセージを移動先ネットワークの移動管理ネットワーク要素に返送する。
【０１５６】
ステップ８１２において、移動先ネットワークの移動管理ネットワーク要素は、ユーザプレーンベアラ情報を更新するために、ベアラ更新要求メッセージを移動先ネットワークのＳＧＷに送信する。
移動先ネットワークの移動管理ネットワーク要素がＩＳＲをサポートするならば、ベアラ更新要求メッセージは、加入者の現在のＩＳＲ状態を維持するようにＳＧＷに指示する情報、または、現在の処理がハンドオーバー処理であることをＳＧＷに示す情報を含む。ＳＧＷは、移動元ネットワークにおける加入者のＩＳＲ起動情報を含むベアラ更新応答メッセージを返送し、さらに、この指示に従って、加入者の現在のＩＳＲ状態を変更せずに維持する。
【０１５７】
ステップ８１３において、移動先ネットワークのＳＧＷは、ＰＤＮ  ＧＷについてのベアラ情報、例えば、加入者のアクセスネットワークの種類を更新するために、ベアラ更新処理を開始する。
【０１５８】
ステップ８１４において、移動先ネットワークのＳＧＷは、ベアラ更新応答メッセージを移動先ネットワークの移動管理ネットワーク要素に返送する。
【０１５９】
ＲＡまたはＴＡ更新処理は、上記実施形態で説明したものと同じであり、ここで再度説明しない。相違点は、移動先ネットワークの移動管理ネットワーク要素が、ハンドオーバー処理のステップ８１２において移動元ネットワークから取得されたＩＳＲ起動指示情報に従って、移動元ネットワークがＩＳＲを起動したか否かを判定することである。
【０１６０】
図９は、本発明の第９実施形態によるＩＳＲのための方法のフローチャートである。図９を参照すると、ハンドオーバー処理において、移動元ネットワークは、移動元ネットワークにおける加入者のＩＳＲ起動情報を提供することを必要とされず、移動先ネットワークがＩＳＲをサポートする限り、移動先ネットワークは、ＩＳＲを起動するために、移動元ネットワークと交信することができる。
【０１６１】
図９を参照すると、ハンドオーバー処理における具体的なＩＳＲ処理は次の通りである。
【０１６２】
ステップ９０１において、移動元ネットワークは、ハンドオーバー要求メッセージを移動元ネットワークの移動管理ネットワーク要素に送信し、ハンドオーバーを開始することを要求し、ここで、ハンドオーバー要求メッセージは、転送されるベアラコンテキストを含む。
【０１６３】
ステップ９０２において、移動元ネットワークの移動管理ネットワーク要素は、移動先ネットワークの移動管理ネットワーク要素を選択し、フォワードハンドオーバー要求メッセージを移動先ネットワークの移動管理ネットワーク要素に送信する。
【０１６４】
ステップ９０３において、移動先ネットワークの移動管理ネットワーク要素は、移動先ネットワークのＳＧＷを選択し、対応するベアラリソースおよびデータ転送リソースをハンドオーバー加入者に割り当てる。
【０１６５】
ステップ９０４において、移動先ネットワークの移動管理ネットワーク要素は、フォワードハンドオーバー応答メッセージを移動元ネットワークの移動管理ネットワーク要素に返送する。
【０１６６】
ステップ９０５において、移動元ネットワークの移動管理ネットワーク要素は、移動元ネットワークに、ハンドオーバーを開始するように命令する。
【０１６７】
ステップ９０６において、移動元アクセスネットワークは、ＵＥに、ハンドオーバーを開始することを通知する。
【０１６８】
ステップ９０７において、移動元アクセスネットワークは、移動先ネットワークにデータを転送することを開始する。
【０１６９】
ステップ９０８において、ＵＥは、移動先アクセスネットワークへのアクセスに成功する。
【０１７０】
ステップ９０９において、ＵＥが移動先アクセスネットワークにアクセスしたことを確認した後に、移動先アクセスネットワークは、ハンドオーバー通知を移動先ネットワークの移動管理ネットワーク要素に送信する。
【０１７１】
ステップ９１０において、移動先ネットワークの移動管理ネットワーク要素は、フォワードハンドオーバー完了メッセージを移動元ネットワークの移動管理ネットワーク要素に送信する。
【０１７２】
ステップ９１１において、移動元ネットワークの移動管理ネットワーク要素は、フォワードハンドオーバー完了アクノリッジメッセージを移動先ネットワークの移動管理ネットワーク要素に返送する。
【０１７３】
ステップ９１２において、移動先ネットワークの移動管理ネットワーク要素は、ユーザプレーンベアラ情報を更新するために、ベアラ更新要求メッセージを移動先ネットワークのＳＧＷに送信する。
移動先ネットワークの移動管理ネットワーク要素がＩＳＲをサポートするならば、ベアラ更新要求メッセージは、加入者の現在のＩＳＲ状態を維持するようにＳＧＷに指示する情報を含み、ＳＧＷは、この指示情報に従って、加入者の現在のＩＳＲ状態を変更せずに維持する。（この指示は、加入者のＩＳＲ状態を変更せずに維持するようにＳＧＷに直接に指示し、または、加入者のＩＳＲ状態を変更せずに維持するようにＳＧＷに直接に指示するために、現在の更新処理がハンドオーバー処理であることを示すことが可能である。）
【０１７４】
ステップ９１３において、移動先ネットワークのＳＧＷは、ＰＤＮ  ＧＷについてのベアラ情報、例えば、加入者のアクセスネットワークの種類を更新するために、ベアラ更新処理を開始する。
【０１７５】
ステップ９１４において、移動先ネットワークのＳＧＷは、ベアラ更新応答メッセージを移動先ネットワークの移動管理ネットワーク要素に返送する。
【０１７６】
図１０は、本発明の第１０実施形態によるＩＳＲのための方法のフローチャートである。図１０を参照すると、ハンドオーバー処理において、移動元ネットワークは、移動元ネットワークにおける加入者のＩＳＲ起動情報を提供することを必要とされず、移動先ネットワークがＩＳＲをサポートする限り、移動先ネットワークは、ＩＳＲを起動するために、移動元ネットワークと交信することができる。
【０１７７】
図１０を参照すると、ＲＡまたはＴＡ更新処理における具体的なＩＳＲ処理は次のステップを含む。
【０１７８】
ステップ１００１において、ＵＥは、ＴＡまたはＲＡ更新要求メッセージを移動先ネットワークの移動管理ネットワーク要素に送信する。
【０１７９】
ステップ１００２において、移動先ネットワークは、設定に従ってセキュリティ機能関連処理を実行する。
【０１８０】
ステップ１００３において、移動先ネットワークの移動管理ネットワーク要素は、移動先ネットワークの移動管理ネットワーク要素がＩＳＲ機能を有するか否かを判定し、有するならば、ステップ１００４が実行され、そうでなければ、ステップ１００７が実行される。
【０１８１】
ステップ１００４において、移動先ネットワークの移動管理ネットワーク要素は移動先ネットワークにおいてＵＥのＩＳＲを起動し、移動先ネットワークの移動管理ネットワーク要素は移動元ネットワークの移動管理ネットワーク要素と交信し、それぞれのＩＳＲ状態指示情報を交換する。
【０１８２】
特に、このステップは次の通りである。
【０１８３】
１．移動先ネットワークの移動管理ネットワーク要素は、加入者の要求メッセージ内のＴＡ識別情報またはＲＡ識別情報に従ってＤＮＳに問い合わせ、移動元ネットワークにおいて異なるアクセス技術を使用する移動管理ネットワーク要素のアドレスを取得し、コンテキスト要求を移動元ネットワークにおける移動管理ネットワーク要素に送信する。
ＴＡまたはＲＡ更新処理の前のハンドオーバーが異なるアクセス技術の間でのハンドオーバーであるならば、移動先ネットワークは、ハンドオーバー処理において移動元ネットワークの移動管理ネットワーク要素のアドレスを直接に使用することができる。その代わりに、移動先ネットワークが、ハンドオーバーの間に移動元ネットワークにおいて異なるアクセス技術を使用する移動管理ネットワーク要素のアドレスを取得したならば、すなわち、移動元ネットワークにおいて元のアクセス技術を使用する移動管理ネットワーク要素が、移動先ネットワークの移動管理ネットワーク要素に送信されるフォワードハンドオーバー要求メッセージ内にそのような情報を含めるならば、移動先ネットワークは、移動元ネットワークにおいて異なるアクセス技術を使用する移動管理ネットワーク要素のアドレスを直接に使用することも可能である。その代わりに、セキュリティ処理が実行されるとき、移動先ネットワークの移動管理ネットワーク要素は、セキュリティベクトルとともに、移動元側で異なるアクセス技術を使用する移動管理ネットワーク要素のアドレスを取得するために、移動元ネットワークにおいて元のアクセス技術を使用する移動管理ネットワーク要素と交信することが可能であり、移動先ネットワークはそのアドレスを直接に使用する。
【０１８４】
２．移動元ネットワークにおいて異なるアクセス技術を使用する移動管理ネットワーク要素は、コンテキスト応答メッセージを返送する。
【０１８５】
３．移動先ネットワークの移動管理ネットワーク要素は、移動元ネットワークにおいて異なるアクセス技術を使用する移動管理ネットワーク要素にコンテキストアクノリッジメッセージを返送し、ここで、コンテキストアクノリッジメッセージは、移動先ネットワークにおいてＵＥのＩＳＲが起動されたことを示す指示情報を含む。
【０１８６】
上記ステップ１から３で説明した交信処理は、単に一実施形態であり、同じ目的を達成するために、他の形態の交信を使用することも可能である。さらに、移動元ネットワークにおいて異なるアクセス技術を使用する移動管理ネットワーク要素が、移動先ネットワークの移動管理ネットワーク要素との結合を確立することを要求されないとき、ステップ１から３は省略することが可能である。
【０１８７】
ステップ１００５において、移動先ネットワークの移動管理ネットワーク要素は、ＵＥが移動先ネットワークにおいてＩＳＲを起動することに成功したか否かを判定し、成功したならば、ステップ１００７が実行され、そうでなければ、ステップ１００６が実行される。
【０１８８】
ＵＥが移動先ネットワークにおいてＩＳＲを起動することに成功したか否かを判定する方法は、具体的には次の方法を含むが、これに限定されない。
ステップ１００４の交信において、移動元ネットワークの移動管理ネットワーク要素が、移動元側がＩＳＲをサポートすること、または、ＩＳＲを起動したことを示す指示情報を返送したならば、移動先ネットワークはＩＳＲ起動が成功したと判定し、そうでなければ、移動先ネットワークはＩＳＲ起動が失敗したと判定する。
【０１８９】
ステップ１００６において、移動先ネットワークの移動管理ネットワーク要素は、ベアラ更新要求をＳＧＷに送信し、ここで、ベアラ更新要求は、移動先ネットワークにおけるＵＥのＩＳＲ状態指示情報を含む。
【０１９０】
特に、移動先ネットワークの移動管理ネットワーク要素によって送信されるベアラ更新要求は、移動先ネットワークにおけるＵＥのＩＳＲ状態をＳＧＷに示す指示情報を含むことが可能であり、その代わりに、この要求は、移動先ネットワークにおけるＵＥのＩＳＲ状態が、起動されている、であるときのみ、対応するＩＳＲ起動指示情報を含み、そうでなければ、この要求はこの情報を含まない。従って、ＳＧＷは、この要求がＩＳＲ起動指示情報を含み、かつ、このＩＳＲ起動指示情報が、ＵＥのＩＳＲ状態が起動されていることを示すときのみ、移動先ネットワークにおけるＵＥのＩＳＲ状態が、起動されている、であるとみなす。
【０１９１】
ステップ１００７において、移動先ネットワークの移動管理ネットワーク要素は、位置更新処理を開始し、そのアドレスを加入者データ管理装置に登録し、加入者の加入データを取得する。
【０１９２】
ステップ１００８において、移動先ネットワークの移動管理ネットワーク要素は、ＩＳＲ状態指示情報を含むＴＡまたはＲＡ更新受理メッセージをＵＥに送信する。
【０１９３】
ステップ１００９において、ＵＥは、ＴＡまたはＲＡ更新完了メッセージを移動先ネットワークの移動管理ネットワーク要素に返送する。
【０１９４】
図１１は、本発明の第１１実施形態によるＩＳＲのための方法のフローチャートである。この実施形態において、移動元ネットワークと移動先ネットワークの両方がＩＳＲ機能を有するならば、ＵＥが移動元ネットワークにおいてＩＳＲを起動したか否かに関係なく、ＵＥは、移動先ネットワークにハンドオーバーした後に、ＩＳＲを起動できる。
【０１９５】
図１１を参照すると、ＲＡまたはＴＡ更新処理における具体的なＩＳＲ処理は次のステップを含む。
【０１９６】
ステップ１１０１において、ＵＥは、ＴＡまたはＲＡ更新要求メッセージを移動先ネットワークの移動管理ネットワーク要素に送信する。
【０１９７】
ステップ１１０２において、移動先ネットワークは、設定に従ってセキュリティ機能関連処理を実行する。
【０１９８】
ステップ１１０３において、移動先ネットワークの移動管理ネットワーク要素は、それがＩＳＲ機能を有するか否かを判定し、有するならば、ステップ１１０４が実行され、そうでなければ、ステップ１１０８が実行される。
【０１９９】
ステップ１１０４において、移動先ネットワークの移動管理ネットワーク要素は、コンテキスト要求メッセージを、移動元ネットワークにおいて異なるアクセス技術を使用する移動管理ネットワーク要素に送信する。
移動先ネットワークの移動管理ネットワーク要素が、コンテキスト要求メッセージを、移動元ネットワークにおいて異なるアクセス技術を使用する移動管理ネットワーク要素に送信する前に、さらに次の処理が含まれる。
【０２００】
移動先ネットワークの移動管理ネットワーク要素は、加入者の要求メッセージ内のＴＡ識別情報またはＲＡ識別情報に従ってＤＮＳに問い合わせ、移動元ネットワークにおいて異なるアクセス技術を使用する移動管理ネットワーク要素のアドレスを取得し、コンテキスト要求を移動元ネットワークにおける移動管理ネットワーク要素に送信する。
ＴＡまたはＲＡ更新処理の前のハンドオーバーが異なるアクセス技術の間でのハンドオーバーであるならば、移動先ネットワークは、ハンドオーバー処理の間に移動元ネットワークにおいて異なるアクセス技術を使用する移動管理ネットワーク要素のアドレスを直接に使用することができる。その代わりに、移動先ネットワークが、ハンドオーバーの間に移動元ネットワークにおいて異なるアクセス技術を使用する移動管理ネットワーク要素のアドレスを取得したならば、すなわち、移動元ネットワークにおいて元のアクセス技術を使用する移動管理ネットワーク要素が、移動先ネットワークの移動管理ネットワーク要素に送信されるフォワードハンドオーバー要求メッセージ内にそのような情報を含めるならば、移動先ネットワークは、移動元ネットワークにおいて異なるアクセス技術を使用する移動管理ネットワーク要素のアドレスを直接に使用することも可能である。その代わりに、セキュリティ処理が実行されるとき、移動先ネットワークの移動管理ネットワーク要素は、セキュリティベクトルとともに、移動元側で異なるアクセス技術を使用する移動管理ネットワーク要素のアドレスを取得するために、移動元ネットワークにおいて元のアクセス技術を使用する移動管理ネットワーク要素と交信することが可能であり、移動先ネットワークはそのアドレスを直接に使用する。
【０２０１】
ステップ１１０５において、移動元ネットワークにおいて異なるアクセス技術を使用する移動管理ネットワーク要素は、ＩＳＲを確立することをＳＷＧに通知するためにＳＧＷと交信し、コンテキスト応答メッセージを移動先ネットワークの移動管理ネットワーク要素に返送し、ここで、コンテキスト応答メッセージは、移動元ネットワークにおいて異なるアクセス技術を使用する移動管理ネットワーク要素のＩＳＲ起動の結果または状態情報を含み、その代わりに、移動元ネットワークにおいて異なるアクセス技術を使用する移動管理ネットワーク要素は、コンテキスト応答メッセージを移動先ネットワークの移動管理ネットワーク要素に直接に返送し、ここで、コンテキスト応答メッセージは、移動元ネットワークによって割り当てられたＩＳＲ起動のためのリソースについての情報を含む。
【０２０２】
ステップ１１０６において、移動先ネットワークの移動管理ネットワーク要素は、移動元ネットワークによって返送されたコンテキスト応答メッセージに含まれる情報に従って、移動先ネットワークにおいてＵＥのＩＳＲを起動するか否かを判定する。例えば、このメッセージが、移動元ネットワークのＩＳＲ起動が成功したことを示す情報、または、移動元ネットワークによって割り当てられたＩＳＲ起動のためのリソースについての情報を含むならば、移動先ネットワークの移動管理ネットワーク要素はＩＳＲを起動すると判定し、そうでなければ、移動先ネットワークの移動管理ネットワーク要素はＩＳＲを起動しないと判定する。
【０２０３】
ステップ１１０４から１１０６で説明した交信は、単に一実施形態であり、同じ目的を達成するために、他の形態の交信を使用することも可能である。
【０２０４】
ステップ１１０７において、移動先ネットワークの移動管理ネットワーク要素は、ベアラ更新要求をＳＧＷに送信し、ここで、ベアラ更新要求は、移動先ネットワークにおけるＵＥのＩＳＲ状態指示情報を含む。特に、移動先ネットワークの移動管理ネットワーク要素によって送信されるベアラ更新要求は、移動先ネットワークにおけるＵＥのＩＳＲ状態をＳＧＷに示す指示情報を含むことが可能であり、その代わりに、ベアラ更新要求は、移動先ネットワークにおけるＵＥのＩＳＲ状態が、起動されている、であるときのみ、対応するＩＳＲ起動指示情報を含み、そうでなければ、この要求はこの情報を含まない。従って、ＳＧＷは、このメッセージがＩＳＲ起動指示情報を含み、かつ、このＩＳＲ起動指示情報がＵＥのＩＳＲ状態が起動されていることを示すときのみ、移動先ネットワークにおけるＵＥのＩＳＲ状態が、起動されている、であるとみなす。
移動元ネットワークが、ステップ１１０５において移動元ネットワークによって割り当てられたＩＳＲ起動のためのリソースについての情報を返送するならば、ベアラ更新要求はこの情報を含む。
【０２０５】
ステップ１１０８において、移動先ネットワークの移動管理ネットワーク要素は、位置更新処理を開始し、そのアドレスを加入者データ管理装置に登録し、加入者の加入データを取得する。
【０２０６】
ステップ１１０９において、移動先ネットワークの移動管理ネットワーク要素は、ＩＳＲ状態指示情報を含むＴＡまたはＲＡ更新受理メッセージをＵＥに送信する。
【０２０７】
ステップ１１１０において、ＵＥは、ＴＡまたはＲＡ更新完了メッセージを移動先ネットワークの移動管理ネットワーク要素に返送する。
【０２０８】
図１２は、本発明によるＩＳＲのためのシステムの第１実施形態の構成図である。
【０２０９】
ＩＳＲのためのシステムは、移動先ネットワークの移動管理ネットワーク要素６１、移動先ネットワークのＳＧＷ・６２、ＵＥ・６３、移動元ネットワークの移動管理ネットワーク要素６４を含む。
【０２１０】
ＵＥ・６３は、移動元ネットワークのＩＳＲ起動情報を含むＴＡ更新要求メッセージまたはＲＡ更新要求メッセージを移動先ネットワークの移動管理ネットワーク要素６１に送信するように構成される。
【０２１１】
移動先ネットワークの移動管理ネットワーク要素６１は、ＵＥ・６３から移動元ネットワークのＩＳＲ起動情報を取得し、取得された移動元ネットワークのＩＳＲ起動情報に従って移動先ネットワークにおけるＵＥのＩＳＲ状態を設定し、設定された移動先ネットワークにおけるＵＥのＩＳＲ状態を移動先ネットワークのＳＧＷ・６２に通知するように構成される。
【０２１２】
移動管理ネットワーク要素は、さらに、取得部６１１および設定部６１２を含むことが可能である。
【０２１３】
取得部６１１は、移動元ネットワークのＩＳＲ起動情報を取得するように構成される。
取得部は、さらに、ＵＥ取得部を含むことが可能である。
ＵＥ取得部は、ＵＥによって送信されたＴＡ更新要求メッセージまたはＲＡ更新要求メッセージから移動元ネットワークのＩＳＲ起動情報を取得するように構成される。
【０２１４】
設定部６１２は、取得部６１１によって取得された移動元ネットワークのＩＳＲ起動情報に従って、移動先ネットワークにおけるＵＥのＩＳＲ状態を設定し、設定された移動先ネットワークにおけるＵＥのＩＳＲ状態を移動先ネットワークのＳＧＷ・６２に通知するように構成される。
【０２１５】
設定部は、さらに、判定部、起動部、通知部を含むことが可能である。
判定部は、取得部によって取得された移動先ネットワークのＩＳＲ起動情報に従って、ＵＥが移動元ネットワークにおいてＩＳＲを起動したか否か、および、移動管理ネットワーク要素がＩＳＲ機能を有するか否かを判定するように構成される。
起動部は、判定部が、ＵＥが移動元ネットワークにおいてＩＳＲを起動し、かつ、移動管理ネットワーク装置がＩＳＲ機能を有すると判定したとき、移動先ネットワークにおいてＵＥのＩＳＲを起動するように構成される。
通知部は、起動部によって設定された移動先ネットワークにおけるＵＥのＩＳＲ状態を、移動先ネットワークのＳＧＷおよび／または移動元ネットワークの移動管理ネットワーク要素および／またはＵＥに通知するように構成される。
【０２１６】
設定部は、さらに、指示メッセージ送信部を含むことが可能である。
指示メッセージ送信部は、移動先ネットワークの移動管理ネットワーク要素が、ＩＳＲ機能を有するか、または、移動先ネットワークにおいてＵＥのＩＳＲを起動するように判定したならば、ベアラ更新要求メッセージを移動先ネットワークのＳＧＷに送信するように構成され、ここで、ベアラ更新要求メッセージは、加入者の現在のＩＳＲ状態を維持するように移動先ネットワークのＳＧＷに指示する情報、または、現在の更新処理がハンドオーバー処理であることを示す情報を含む。
【０２１７】
移動先ネットワークのＳＧＷ・６２は、移動先ネットワークの移動管理ネットワーク要素６１によって設定された移動先ネットワークにおけるＵＥのＩＳＲ状態を記録するように構成される。
【０２１８】
移動元ネットワークの移動管理ネットワーク要素６４は、移動先ネットワークの移動管理ネットワーク要素と交信し、それぞれのＩＳＲ状態指示情報を交換するように構成される。
【０２１９】
図１３は、本発明によるＩＳＲのためのシステムの第２実施形態の構成図である。
【０２２０】
ＩＳＲのためのシステムは、移動先ネットワークの移動管理ネットワーク要素７１、移動先ネットワークのＳＧＷ・７２、移動元ネットワークの移動管理ネットワーク要素７３を含む。
【０２２１】
移動元ネットワークの移動管理ネットワーク要素７３は、移動元ネットワークのＩＳＲ起動情報を移動先ネットワークの移動管理ネットワーク要素７１に提供するように構成される。
【０２２２】
移動先ネットワークの移動管理ネットワーク要素７１は、移動元ネットワークの移動管理ネットワーク要素７３から移動元ネットワークのＩＳＲ起動情報を取得し、取得された移動元ネットワークのＩＳＲ起動情報に従って、移動先ネットワークにおけるＵＥのＩＳＲ状態を設定し、設定された移動先ネットワークにおけるＵＥのＩＳＲ状態を移動先ネットワークのＳＧＷ・７２および／または移動元ネットワークの移動管理ネットワーク要素および／またはＵＥに通知するように構成される。
【０２２３】
移動管理ネットワーク要素は、さらに、取得部７１１および設定部７１２を含むことが可能である。
【０２２４】
取得部７１１は、移動元ネットワークのＩＳＲ起動情報を取得するように構成される。
取得部は、さらに、移動元ネットワーク取得部を含むことが可能である。
移動元ネットワーク取得部は、移動元ネットワークから移動元ネットワークのＩＳＲ起動情報を取得するように構成される。
【０２２５】
設定部７１２は、取得部７１１によって取得された移動元ネットワークのＩＳＲ起動情報に従って、移動先ネットワークにおけるＵＥのＩＳＲ状態を設定し、設定された移動先ネットワークにおけるＵＥのＩＳＲ状態を移動先ネットワークのＳＧＷ・７２および／または移動元ネットワークの移動管理ネットワーク要素および／またはＵＥに通知するように構成される。
【０２２６】
設定部は、さらに、判定部、起動部、通知部を含むことが可能である。
判定部は、取得部によって取得された移動元ネットワークのＩＳＲ起動情報に従って、移動元ネットワークがＩＳＲ機能を有するか否かを判定するように構成される。
起動部は、判定部が、移動元ネットワークがＩＳＲ機能を有すると判定したとき、移動先ネットワークにおいてＵＥのＩＳＲを起動するように構成される。
通知部は、起動部によって設定された移動先ネットワークにおけるＵＥのＩＳＲ状態を、移動先ネットワークのＳＧＷおよび／または移動元ネットワークの移動管理ネットワーク要素および／またはＵＥに通知するように構成される。
【０２２７】
設定部は、さらに、指示メッセージ送信部を含むことが可能である。
指示メッセージ送信部は、移動先ネットワークの移動管理ネットワーク要素が、ＩＳＲ機能を有するか、または、移動先ネットワークにおいてＵＥのＩＳＲを起動するように判定したならば、ベアラ更新要求メッセージを移動先ネットワークのＳＧＷに送信するように構成され、ここで、ベアラ更新要求メッセージは、加入者の現在のＩＳＲ状態を維持するように移動先ネットワークのＳＧＷに指示する情報、または、現在の更新処理がハンドオーバー処理であることを示す情報を含む。
【０２２８】
移動先ネットワークのＳＧＷ・７２は、移動先ネットワークの移動管理ネットワーク要素７１によって設定された移動先ネットワークにおけるＵＥのＩＳＲ状態を記録するように構成される。
【０２２９】
さらに、一実施形態において、本発明は、さらに、判定部、起動部、通知部を含む移動管理ネットワーク要素を提供する。
判定部は、移動先ネットワークの移動管理ネットワーク要素がＩＳＲ機能を有するか否かを判定するように構成される。
起動部は、判定部が、移動先ネットワークの移動管理ネットワーク要素がＩＳＲ機能を有すると判定したとき、移動先ネットワークにおいてＵＥのＩＳＲを起動するように構成される。
通知部は、移動先ネットワークにおけるＵＥのＩＳＲ起動の状態または結果を、移動元ネットワークの移動管理ネットワーク要素に通知するように構成される。
移動管理ネットワーク要素は、さらに、指示メッセージ送信部を含むことが可能である。
指示メッセージ送信部は、移動先ネットワークの移動管理ネットワーク要素が、ＩＳＲ機能を有するか、または、移動先ネットワークにおいてＵＥのＩＳＲを起動するように判定したならば、ベアラ更新要求メッセージを移動先ネットワークのＳＧＷに送信するように構成され、ここで、ベアラ更新要求メッセージは、加入者の現在のＩＳＲ状態を維持するように移動先ネットワークのＳＧＷに指示する情報、または、現在の更新処理がハンドオーバー処理であることを示す情報を含む。
【０２３０】
さらに、一実施形態において、本発明は、さらに、判定部、起動部を含む移動管理ネットワーク要素を提供する。
判定部は、移動先ネットワークの移動管理ネットワーク要素がＩＳＲ機能を有するとき、移動元ネットワークのＩＳＲ機能またはＩＳＲ起動状態に従って、移動先ネットワークにおいてＵＥのＩＳＲを起動するか否かを判定するように構成される。
起動部は、判定部が、移動元ネットワークが、ＩＳＲ機能を有するか、または、ＩＳＲを起動したと判定したとき、移動先ネットワークにおいてＵＥのＩＳＲを起動するように構成される。
移動管理ネットワーク要素は、さらに、指示メッセージ送信部を含むことが可能である。
指示メッセージ送信部は、移動先ネットワークの移動管理ネットワーク要素が、ＩＳＲ機能を有するか、または、移動先ネットワークにおいてＵＥのＩＳＲを起動するように判定したならば、ベアラ更新要求メッセージを移動先ネットワークのＳＧＷに送信するように構成され、ここで、ベアラ更新要求メッセージは、加入者の現在のＩＳＲ状態を維持するように移動先ネットワークのＳＧＷに指示する情報、または、現在の更新処理がハンドオーバー処理であることを示す情報を含む。
移動管理ネットワーク要素は、さらに、通知部を含むことが可能である。
通知部は、起動部によって設定された移動先ネットワークにおけるＵＥのＩＳＲ状態を、移動先ネットワークのＳＧＷおよび／または移動元ネットワークの移動管理ネットワーク要素および／またはＵＥに通知するように構成される。
【０２３１】
一実施形態において、本発明は、さらに、ＩＳＲのためのシステムを提供する。このシステムは、移動先ネットワークの移動管理ネットワーク要素および移動先ネットワークのＳＧＷを含む。
移動先ネットワークの移動管理ネットワーク要素は、移動先ネットワークの移動管理ネットワーク要素のＩＳＲ機能を提供するように構成される。
移動先ネットワークのＳＧＷは、移動先ネットワークの移動管理ネットワーク要素によって提供される移動先ネットワークの移動管理ネットワーク要素のＩＳＲ機能に従って、移動先ネットワークにおけるＵＥのＩＳＲ状態を設定するように、移動先ネットワークの移動管理ネットワーク要素を制御するように構成させる。
移動先ネットワークのＳＧＷは、移動先ネットワークの移動管理ネットワーク要素によって送信されたユーザプレーンベアラ更新情報から移動先ネットワークの移動管理ネットワーク要素のＩＳＲ機能を取得する。
【０２３２】
本発明の実施形態によるＩＳＲのための方法およびＩＳＲのためのシステムによって、移動元ネットワークのＩＳＲ起動情報または移動先ネットワークの移動管理ネットワーク要素のＩＳＲ機能に従って、移動先ネットワークにおけるＵＥのＩＳＲ状態を設定することができる。従って、ＵＥがネットワーク間でハンドオーバーするとき、ＵＥのＩＳＲ状態を処理することができる。
【０２３３】
以上、本発明のＩＳＲのための方法およびＩＳＲのためのシステムを詳細に説明した。この明細書で提供された具体例は、本発明の原理および実施形態を説明するために使用される。本発明の実施形態についての説明は、本発明の技術的解決策を理解するために役立つ。この技術分野の当業者は、本発明に思想に従って具体的な実施形態および応用の範囲で本発明に変形および修正をすることができる。従って、明細書は本発明への限定として解釈すべきでない。
【符号の説明】
【０２３４】
６１、７１  ・・・  移動先ネットワークの移動管理ネットワーク要素
６１１、７１１  ・・・取得部
６１２、７１２  ・・・設定部
６２、７２  ・・・  移動先ネットワークのＳＧＷ
６３  ・・・  ＵＥ
６４、７３  ・・・移動元ネットワークの移動管理ネットワーク要素
【図１】
2010530193.tif 000003
【図２】
2010530193.tif 000004
【図３】
2010530193.tif 000005
【図４】
2010530193.tif 000006
【図５】
2010530193.tif 000007
【図６】
2010530193.tif 000008
【図７】
2010530193.tif 000009
【図８】
2010530193.tif 000010
【図９】
2010530193.tif 000011
【図１０】
2010530193.tif 000012
【図１１】
2010530193.tif 000013
【図１２】
2010530193.tif 000014
【図１３】
2010530193.tif 000015
【手続補正書】
【提出日】平成21年12月17日(2009.12.17)
【手続補正１】
【補正対象書類名】明細書
【補正対象項目名】０００１
【補正方法】変更
【補正の内容】
【０００１】
本発明は、通信技術の分野に関し、より詳しくは、アイドルモードシグナリングリダクション（idle mode signaling reduction（ＩＳＲ））のための方法およびシステムに関する。
【手続補正２】
【補正対象書類名】明細書
【補正対象項目名】０００６
【補正方法】変更
【補正の内容】
【０００６】
本発明の一実施形態はＩＳＲのための方法を提供する。前記方法は次のステップを含む。
移動元ネットワークのＩＳＲ起動情報が取得される。
前記取得された移動元ネットワークのＩＳＲ起動情報に従って、移動先ネットワークにおけるＵＥのＩＳＲ状態が設定される。
【手続補正３】
【補正対象書類名】明細書
【補正対象項目名】０００９
【補正方法】変更
【補正の内容】
【０００９】
本発明の一実施形態は、取得部と、設定部と、を含む移動管理ネットワーク要素を提供する。
前記取得部は、移動元ネットワークのＩＳＲ起動情報を取得するように構成される。
前記設定部は、前記取得部によって取得された移動元ネットワークのＩＳＲ起動情報に従って、移動先ネットワークにおけるＵＥのＩＳＲ状態を設定するように構成される。
【手続補正４】
【補正対象書類名】特許請求の範囲
【補正対象項目名】全文
【補正方法】変更
【補正の内容】
【特許請求の範囲】
【請求項１】
アイドルモードシグナリングリダクション（ＩＳＲ）のための方法であって、
移動元ネットワークのＩＳＲ起動情報を取得するステップと、
前記取得された移動元ネットワークのＩＳＲ起動情報に従って、移動先ネットワークにおけるユーザ機器（ＵＥ）のＩＳＲ状態を設定するステップと、
を有する方法。
【請求項２】
ベアラ更新要求メッセージを前記移動先ネットワークのサービングゲートウェイ（ＳＧＷ）に送信するステップをさらに有し、
前記ベアラ更新要求メッセージは、加入者の現在のＩＳＲ状態を維持するように前記移動先ネットワークのＳＧＷに指示する情報を含む請求項１に記載の方法。
【請求項３】
前記起動されたＩＳＲ状態を維持し、かつ、ＩＳＲが起動されていないとき移動元ネットワーク側および移動先ネットワーク側のベアラ情報を保存するように、前記移動先ネットワークのＳＧＷに指示する情報を前記ベアラ更新要求メッセージ内に含めるステップをさらに有する請求項２に記載の方法。
【請求項４】
前記移動元ネットワークのＩＳＲ起動情報を取得するステップは、
前記移動元ネットワークにおいて異なるアクセス技術を使用する移動管理ネットワーク要素に要求を送信し、前記移動元ネットワークの移動管理ネットワーク要素によって返送された応答メッセージを受信するステップをさらに有し、
前記応答メッセージは、前記移動元ネットワークの移動管理ネットワーク要素のＩＳＲ機能またはＩＳＲ起動情報を含む請求項３に記載の方法。
【請求項５】
前記取得された移動元ネットワークのＩＳＲ起動情報に従って、移動先ネットワークにおけるＵＥのＩＳＲ状態を設定するステップは、
前記移動先ネットワークの移動管理ネットワーク要素がＩＳＲ機能を有するならば、前記取得された移動元ネットワークのＩＳＲ機能に従って、前記移動先ネットワークにおいてＵＥのＩＳＲを起動するか否かを判定し、起動するならば、前記移動先ネットワークにおいてＵＥのＩＳＲを起動するステップをさらに有する請求項４に記載の方法。
【請求項６】
前記取得された移動元ネットワークのＩＳＲ起動情報に従って、移動先ネットワークにおけるＵＥのＩＳＲ状態を設定するステップは、
前記移動先ネットワークの移動管理ネットワーク要素によって、前記ＵＥが前記移動元ネットワークにおいてＩＳＲを起動したか否かを判定し、起動したならば、前記移動先ネットワークの移動管理ネットワーク要素がＩＳＲ機能を有するか否かを判定し、有するならば、前記移動先ネットワークにおいてＵＥのＩＳＲを起動するステップをさらに有する請求項１に記載の方法。
【請求項７】
前記移動元ネットワークのＩＳＲ起動情報を取得するステップは、
ＳＧＷによって返送されたベアラ更新応答メッセージから前記移動元ネットワークのＩＳＲ起動情報を取得するステップ、または、
前記移動元ネットワークの移動管理ネットワーク要素によって送信されたフォワードハンドオーバー要求メッセージから前記移動元ネットワークのＩＳＲ起動情報を取得するステップ、
をさらに有する請求項１に記載の方法。
【請求項８】
前記移動元ネットワークのＩＳＲ起動情報は、前記移動元ネットワークにおけるＵＥのＩＳＲ状態が起動されていることを示す指示情報であり、
前記移動先ネットワークにおけるＵＥのＩＳＲ状態を設定するステップは、
前記移動先ネットワークにおいてＵＥのＩＳＲを起動するステップをさらに有する請求項７に記載の方法。
【請求項９】
前記移動元ネットワークのＩＳＲ起動情報は、前記移動元ネットワークがＩＳＲ機能を有することを示す指示情報であり、
前記移動先ネットワークにおけるＵＥのＩＳＲ状態を設定するステップは、
前記移動先ネットワークにおいてＵＥのＩＳＲを起動するステップをさらに有する請求項７に記載の方法。
【請求項１０】
前記移動先ネットワークにおけるＵＥのＩＳＲ状態を前記移動先ネットワークのＳＧＷに通知するステップをさらに有する請求項１に記載の方法。
【請求項１１】
前記移動先ネットワークにおけるＵＥのＩＳＲ状態を前記ＵＥに通知するステップをさらに有する請求項１に記載の方法。
【請求項１２】
前記移動先ネットワークの移動管理ネットワーク要素が、ＩＳＲ機能を有するか、または、前記移動先ネットワークにおいてＵＥのＩＳＲを起動するように判定したならば、前記移動先ネットワークの移動管理ネットワーク要素によって、ベアラ更新要求メッセージを前記移動先ネットワークのＳＧＷに送信するステップをさらに有し、前記ベアラ更新要求メッセージは、加入者の現在のＩＳＲ状態を維持するように前記移動先ネットワークのＳＧＷに指示する指示情報、または、現在の更新処理がハンドオーバー処理であることを示す指示情報を含み、
前記移動先ネットワークのＳＧＷによって、前記指示情報に従って、前記加入者の現在のＩＳＲ状態を変更せずに維持するステップをさらに有する請求項１に記載の方法。
【請求項１３】
前記移動先ネットワークの移動管理ネットワーク要素によって、前記移動先ネットワークにおけるＵＥのＩＳＲ起動の状態または結果を前記移動元ネットワークの移動管理ネットワーク要素に通知するステップをさらに有する請求項５に記載の方法。
【請求項１４】
アイドルモードシグナリングリダクション（ＩＳＲ）のための方法であって、
移動先ネットワークの移動管理ネットワーク要素がＩＳＲ機能を有するならば、移動元ネットワークのＩＳＲ機能またはＩＳＲ起動状態に従って、前記移動先ネットワークにおいてユーザ機器（ＵＥ）のＩＳＲを起動するか否かを判定し、前記移動元ネットワークがＩＳＲをサポートするか、または、ＩＳＲを起動したならば、前記移動先ネットワークにおいてＵＥのＩＳＲを起動するステップを有する方法。
【請求項１５】
前記移動元ネットワークのＩＳＲ機能またはＩＳＲ起動状態を取得するステップは、
前記移動元ネットワークにおいて異なるアクセス技術を使用する移動管理ネットワーク要素に要求を送信し、前記移動元ネットワークにおいて異なるアクセス技術を使用する移動管理ネットワーク要素によって、応答を返送するステップをさらに有し、前記応答メッセージは、前記移動元ネットワークのＩＳＲ機能またはＩＳＲ起動状態についての情報を含む請求項１４に記載の方法。
【請求項１６】
前記移動先ネットワークの移動管理ネットワーク要素がＩＳＲをサポートするならば、前記移動先ネットワークの移動管理ネットワーク要素によって、ベアラ更新要求メッセージを前記移動先ネットワークのサービングゲートウェイ（ＳＧＷ）に送信するステップをさらに有し、前記ベアラ更新要求メッセージは、加入者の現在のＩＳＲ状態を維持するように前記移動先ネットワークのＳＧＷに指示する指示情報、または、現在の更新処理がハンドオーバー処理であることを示す指示情報を含み、
前記移動先ネットワークのＳＧＷによって、前記指示情報に従って、前記加入者の現在のＩＳＲ状態を変更せずに維持するステップをさらに有する請求項１４に記載の方法。
【請求項１７】
前記移動先ネットワークの移動管理ネットワーク要素によって、前記移動先ネットワークにおけるＵＥのＩＳＲ状態を前記移動元ネットワークの移動管理ネットワーク要素および／または前記移動先ネットワークのＳＧＷおよび／または前記ＵＥに通知するステップをさらに有する請求項１４に記載の方法。
【請求項１８】
アイドルモードシグナリングリダクション（ＩＳＲ）のためのシステムであって、
移動元ネットワークのＩＳＲ起動情報を取得し、前記取得された移動元ネットワークのＩＳＲ起動情報に従って、移動先ネットワークにおいてユーザ機器（ＵＥ）のＩＳＲ状態を設定するように構成された、前記移動先ネットワークの移動管理ネットワーク要素と、
前記移動先ネットワークの移動管理ネットワーク要素によって設定された前記移動先ネットワークにおけるＵＥのＩＳＲ状態を記録するように構成された、前記移動先ネットワークのサービングゲートウェイ（ＳＧＷ）と、
を備えるシステム。
【請求項１９】
前記移動元ネットワークのＩＳＲ起動情報を前記移動先ネットワークの移動管理ネットワーク要素に提供するように構成された、前記移動元ネットワークの移動管理ネットワーク要素をさらに備える請求項１８に記載のシステム。
【請求項２０】
移動元ネットワークのアイドルモードシグナリングリダクション（ＩＳＲ）起動情報を取得するように構成された取得部と、
前記取得部によって取得された移動元ネットワークのＩＳＲ起動情報に従って、移動先ネットワークにおいてユーザ機器（ＵＥ）のＩＳＲ状態を設定するように構成された設定部と、
を備える移動管理ネットワーク要素。
【請求項２１】
前記取得部は、前記移動元ネットワークから前記移動元ネットワークのＩＳＲ起動情報を取得するように構成された移動元ネットワーク取得部をさらに備える請求項２０に記載の移動管理ネットワーク要素。
【請求項２２】
前記設定部は、
前記ＵＥが前記取得部によって取得された移動元ネットワークのＩＳＲ起動情報に従って前記移動元ネットワークにおいてＩＳＲを起動したか否か、および、前記移動管理ネットワーク要素がＩＳＲ機能を有するか否かを判定するように構成された判定部と、
前記判定部が、前記ＵＥが前記移動元ネットワークにおいてＩＳＲを起動し、かつ、前記移動管理ネットワーク要素がＩＳＲ機能を有すると判定したとき、前記移動先ネットワークにおいて前記ＵＥのＩＳＲを起動するように構成された起動部と、
前記起動部によって設定された前記移動先ネットワークにおけるＵＥのＩＳＲ状態を、前記移動先ネットワークのサービングゲートウェイ（ＳＧＷ）および／または前記移動元ネットワークの移動管理ネットワーク要素および／または前記ＵＥに通知するように構成された通知部と、
をさらに備える請求項２０に記載の移動管理ネットワーク要素。
【請求項２３】
前記設定部は、
前記取得部によって取得された移動元ネットワークのＩＳＲ起動情報に従って、前記移動元ネットワークがＩＳＲ機能を有するか否かを判定するように構成された判定部と、
前記判定部が、前記移動元ネットワークがＩＳＲ機能を有すると判定するとき、前記移動先ネットワークにおいて前記ＵＥのＩＳＲを起動するように構成された起動部と、
前記起動部によって設定された前記移動先ネットワークにおけるＵＥのＩＳＲ状態を、前記移動先ネットワークのサービングゲートウェイ（ＳＧＷ）および／または前記移動元ネットワークの移動管理ネットワーク要素および／または前記ＵＥに通知するように構成された通知部と、
をさらに備える請求項２０に記載の移動管理ネットワーク要素。
【請求項２４】
前記設定部は、前記移動先ネットワークの移動管理ネットワーク要素が、ＩＳＲ機能を有し、または、前記移動先ネットワークにおいてＵＥのＩＳＲを起動するように判定したならば、ベアラ更新要求メッセージを前記移動先ネットワークのＳＧＷに送信するように構成された指示メッセージ送信部をさらに備え、
前記ベアラ更新要求メッセージは、加入者の現在のＩＳＲ状態を維持するように前記移動先ネットワークのＳＧＷに指示する情報、または、現在の更新処理がハンドオーバー処理であることを示す情報を含む請求項２２または２３に記載の移動管理ネットワーク要素。
【請求項２５】
前記移動管理ネットワーク要素は、移動管理エンティティ（ＭＭＥ）またはサービング汎用パケット無線サービスサポートノード（ＳＧＳＮ）である請求項２０に記載の移動管理ネットワーク要素。
【請求項２６】
移動先ネットワークの移動管理ネットワーク要素がＩＳＲ機能を有するとき、移動元ネットワークのＩＳＲ機能またはＩＳＲ起動状態に従って、前記移動先ネットワークにおいてユーザ機器（ＵＥ）のアイドルモードシグナリングリダクション（ＩＳＲ）を起動するか否かを判定するように構成された判定部と、
前記判定部が、前記移動元ネットワークがＩＳＲ機能を有し、または、ＩＳＲを起動したと判定するとき、前記移動先ネットワークにおいてＵＥのＩＳＲを起動するように構成された起動部と、
を備える移動管理ネットワーク要素。
【請求項２７】
前記移動先ネットワークの移動管理ネットワーク要素が、ＩＳＲ機能を有するか、または、前記移動先ネットワークにおいて前記ＵＥのＩＳＲを起動するように判定したならば、ベアラ更新要求メッセージを前記移動先ネットワークのサービングゲートウェイ（ＳＧＷ）に送信するように構成された指示メッセージ送信部をさらに備え、
前記ベアラ更新要求メッセージは、加入者の現在のＩＳＲ状態を維持するように前記移動先ネットワークのＳＧＷに指示する情報、または、現在の更新状態がハンドオーバー状態であることを示す情報を含む請求項２６に記載の移動管理ネットワーク要素。
【請求項２８】
前記起動部によって設定された前記移動先ネットワークにおけるＵＥのＩＳＲ状態を、前記移動先ネットワークのサービングゲートウェイ（ＳＧＷ）および／または前記移動元ネットワークの移動管理ネットワーク要素および／または前記ＵＥに通知するように構成された通知部をさらに備える請求項２６に記載の移動管理ネットワーク要素。
【国際調査報告】
2010530193.tif 000016
2010530193.tif 000017
2010530193.tif 000018
2010530193.tif 000019